(57)【要約】デジタルギターシステム（１００）および方法はデジタルギター（１２）、デジタルギターインターフェース装置（１０２）、および通常のギターをデジタルギター（１２）に変換する方法を含んでいる。ギター（１２）はアナログオーディオ信号を発生し、これらの信号をデジタル信号に変換し、デジタル通信プロトコルに従ってデジタル信号をフォーマット化し、フォーマット化された信号を出力するように適合される。ギター（１２）はアナログオーディオ信号のいくつかを発生する新規なマルチ信号ギターピックアップ（１２２）を含んでもよい。ギター（１２）はさらにデジタル信号を受信し、これらの信号をアナログ信号に変換し、アナログ信号を出力するように適合される。インターフェース装置（１０２）はデジタル信号を受信し、これらの信号をアナログ信号に変換し、アナログ信号を出力するように適合される。
2006520917.tif 000002
【特許請求の範囲】
【請求項１】
ギター本体と；
前記ギター本体に搭載されたギター弦と；
前記ギター弦の近傍の前記ギター本体に搭載されたギターピックアップアセンブリと；
前記ギターピックアップアセンブリに接続されたデジタルギター処理回路であり、前記ギターピックアップアセンブリと前記ギターデジタル出力アセンブリに接続されたギターアナログ／デジタル変換器回路と、前記ギターアナログ／デジタル変換器回路と前記ギターデジタル出力アセンブリ間に接続されたギターデジタル通信回路を含むデジタルギター処理回路と；
前記デジタルギター処理回路に接続されたギターデジタル出力アセンブリと；
を具備することを特徴とするデジタルギター。
【発明の詳細な説明】
【技術分野】
【０００１】
本発明は全般的にギター、ギターピックアップ、およびギター装置に関する。特に、本発明はデジタルギターで特に有益なマルチ信号ギターピックアップに関する。本ギターピックアップは従来のアナログギターで使用できる。
【背景技術】
【０００２】
ギターは当業界でよく知られており、広範囲の異なる型および設計を含んでいる。例えば、従来技術では種々の型のアコースティックギターおよび電気ギターを含んでいる。これらのギターは典型的にはアナログマイクロホン信号のようなアナログオーディオ信号を受信し、アナログ弦信号（ギター弦を弾いたときギターピックアップにより発生するアナログオーディオ信号）およびアナログヘッドホン信号のようなアナログオーディオ信号を出力するように適合される。
【０００３】
従来技術はモノホニックギター、即ち、ギター上に搭載された１本又は複数本のギター弦が弾かれると単一の弦信号を出力するギターを含む。従来技術ではまたギター上に搭載された各弦の単一弦信号を出力するギターを含む。後者の型のギターは全般的にポリホニックギターと称される。
【０００４】
これらのギターのすべては共通の欠点、即ち、アナログオーディオ信号を受信し出力するという欠点を有する。アナログオーディオ信号はアナログオーディオ信号の品質を低下させる種々の電気および環境ノイズの影響を受けやすい。これは特にアナログオーディオ信号がアナログオーディオ信号を運ぶ電力ケーブル又は他のケーブルに露出されるケーブルを介して送信される環境において事実である。この原因にもかかわらず、劣化したアナログオーディオ信号は聞くのに不愉快でありギターのオーディオ出力を正確に反映しないので望ましくない。
【０００５】
従来技術と上述の関連するノイズ問題は何年も存在しているが、誰も従来技術におけるこの問題を解決するために登場していない。それ故、電気および環境ノイズに影響されないオーディオ信号を受信し出力できるギターを求める要望がある。
【発明の開示】
【発明が解決しようとする課題】
【０００６】
本出願で詳細に記載されているように、この問題はアナログオーディオ信号と異なりデジタルオーディオ信号を受信し出力できるギター、即ち、デジタルギターを使用して解決できる。離散値のみ採用し、システムがある範囲内の離散値でないノイズ信号値を無視するように設計されるので、デジタルオーディオ信号は電気および環境ノイズによる影響が少ない。ノイズ耐性に関するデジタル信号の利点は当業界で知られており、ここでは繰り返さない。デジタル信号は個別の性質を有することおよびその離散性がノイズ耐性を提供することを指摘するだけで充分である。
【０００７】
しかしながら、デジタルギターの開発と消費者マーケットでのデジタルギターの採用はさらなる一連の問題を発生させる。まず、デジタルオーディオ信号を受信し出力するギターは増幅器、エフェクトボックス、およびシンセサイザーのような従来のギター装置と互換性が無い。これらの装置はアナログオーディオ信号を受信し出力するように適合され、デジタルオーディオ信号に適合していない。これらはデジタルオーディオ信号を処理できない。
【０００８】
この非互換性は消費者マーケットでデジタルギターの採用に関して一連の問題を発生させる。多くの消費者は従来のギター装置に相当の金額を投資したので、もしデジタルギターがノイズを受けにくいオーディオ信号を出力してもすでに所有している従来のギター装置と互換しないデジタルギターを購入しそうに無い。従って、デジタルギターの需要のほかに、従来のギター装置と互換するデジタルギターの需要が存在する。
【０００９】
第２に、多くの消費者は従来のアナログギターを諦めるのを欲しないのでデジタルギターの購入に気が進まない。例えば、多くの消費者は何年も従来のアナログギターを使用しており、外観と感触に慣れている。これらの消費者はその利点にもかかわらずデジタルギターを進んで使い始めようとしないかもしれない。この問題は従来のアナログギターと似た外観を有するようにデジタルギターを成形することによりある程度対処できるかもしれない。
【００１０】
さらに、ある消費者はデジタルギターが相当高価であるので進んで従来のアナログギターをデジタルギターに切替ようとしないであろう、多くの従来のアナログギターは消費者間で非常に人気があるので、結果として、高価格である。これらの型のギターを所有している消費者はデジタルギターを購入するため又は、既存の従来のアナログギターの代わりに、デジタルギターを使用するためこれらのギターを売ろうとはしないであろう。しかしながら、これらの消費者の多くはまだデジタルギターにより提供される利益を求める要望を持ち獲得しようとするであろう。本出願で詳細に説明されるように、この問題を解決すべき１つの方法は従来のアナログギターを改造し、デジタルオーディオ信号を受信し出力する方法を開発することである。
【課題を解決するための手段】
【００１１】
上記の解決しようとする問題の他に、本発明は従来のギターピックアップに共通する２つの問題を解決することを指向する。第１の問題はこれらのピックアップが典型的にノイズ信号を含むアナログオーディオ信号を発生する事実に関係し、第２の問題はこれらのピックアップが典型的に混合アナログ弦信号を発生する事実に関係する。従来技術ではこれらの２つの問題を部分的に解決したが、後述されるように、従来技術の解法はある用途のために適切でない。
【００１２】
第１の問題に関して、本出願の譲受人は従来のギターピックアップがギター弦振動に応答してアナログオーディオ信号を発生するのに加えて電気又は環境ノイズを拾いアナログノイズ信号を発生することを認識している。従来のピックアップがこれらのノイズ信号を所望のアナログオーディオ信号から分離できず、結果として、ノイズ信号をアナログオーディオ信号と混合してしまう。得られた出力はノイズで品質劣化したアナログオーディオ信号である。
【００１３】
従来技術は最も顕著に従来のハムバッカーギターピックアップを使用してこの問題を解決した。当業界で知られているように、モノホニックハムバッカーギターピックアップはギターが弾かれると２つのアナログ弦信号を発生させるが、各々同一のノイズ信号を含んでいる。ハムバッカーピックアップはアナログ弦信号の１つが第２アナログ弦信号のアナログ弦成分に対して反転されたアナログ弦成分を含むように設計される。ノイズ信号は各信号で同一極性を有する。２つのアナログ弦信号を互いから減算することにより、ノイズ信号が相殺され、所望のアナログ弦信号のみが残る。ポリホニックハムバッカーピックアップも同様に動作する。
【００１４】
従来のハムバッカーギアーピックアップにより発生したアナログ弦信号はノイズ効果を相殺するために使用されるので、ピックアップ自身は複雑になる。モノホニックハムバッカーギターピックアップはピックアップの１つが反転アナログ弦信号を発生するように配置された２つのモノホリックギターピックアップを要求する。ポリホニックハムバッカーも同様な方法で動作し、ギター上に各弦のための２つのモノホリックピックアップを要求する。２重ピックアップの要求はこれらのハムバッカーピックアップを複雑にし、ある場合において、ピックアップの使用を不適切にする。
【００１５】
この従来技術は適切な方法でこの制限を解決するように見えず、従って、問題を解決したギターピックアップの需要がある。換言すると、ピックアップにより発生したアナログ弦信号内のノイズ効果を相殺するために使用できるノイズ信号を発生する複雑でないギターピックアップの需要がある。
【００１６】
第２の問題に移ると、本発明の譲受人は従来のギターピックアップが水平および垂直弦成分を含む混合アナログ弦信号を発生することを認識している。ギター弦が弾かれると、弦は楕円状パターンに振動する。このパターンは２つの異なる平面の動きに分解できる、即ち、ギター弦を通過しギターの上面と平行する平面として規定される水平弦平面と、水平弦平面に直交する平面として規定される垂直弦平面に分解できる。ギター弦が弾かれると、弦はこれらの両平面で動く。従来のギターピックアップはこの楕円型振動パターンに基いてアナログ弦信号を発生するが、信号を適切な水平および垂直弦信号成分に分離できる。
【００１７】
本譲受人は、更に、これらの混合アナログ弦信号を各弦成分信号に分離することにより、従来の信号を使用して現在得られない新しい異なる音が発生できることを認識している。混合アナログ弦信号に付随する音は混合信号の水平および垂直弦振動成分に付随する音と異なっている。さらに、水平および垂直弦振動に付随する音は互いから異なっている。これはギター弦が同様に水平および垂直面で振動しないので事実である。多くの場合、水平面でのギター弦の振動は垂直面でのギター弦の振動より大きい。
【００１８】
この問題は２００２年５月２１日にイスバン（Ｉｓｖａｎ）氏に発行され、本譲受人に譲渡され、“２つの相互垂直平面での弦信号を検出するためのポリホニックギターピックアップ”と称する米国特許第６，３９２，１３７号の譲受人により部分的に解決した。この米国特許第６，３９２，１３７号は本願において参考のために記載される。
【００１９】
デジタルギターシステムはデジタルギターとデジタルギターインターフェース装置を含み、その方法は従来のアナログギターをデジタルギターに変換するために必要な工程を含んでいる。デジタルギターはノイズの影響が少ないデジタルオーディオ信号を出力し、インターフェース装置はデジタルオーディオ信号をアナログオーディオ信号に変換することによりデジタルギターが従来のアナログギター装置と互換性を持つことを可能にする。
【００２０】
デジタルギターは複数の異なる型のアナログオーディオ信号を発生し、これらのオーディオ信号をデジタルオーディオ信号に変換し、所定のデジタル通信プロトコルに従ってデジタルオーディオ信号をフォーマット化し、フォーマット化された信号を出力するように適合される。デジタルギターはデジタルオーディオ信号を受信し、これらのデジタルオーディオ信号をアナログオーディオ信号に変換し、アナログオーディオ信号を出力する。ギターはさらにマイクロホン信号のような外部アナログオーディオ信号を受信し、これらの信号をデジタルオーディオ信号に変換し、このデジタルマイクロホン信号を出力する。
【００２１】
上記に参照された機能を容易にするため、デジタルギターはギターピックアップアセンブリ、デジタルギター処理回路、ギターデジタル入力／出力アセンブリ、ギターアナログ入力／出力アセンブリ、およびギター制御アセンブリを含んでいる。ギターピックアップアセンブリは各ギター弦のための２つ又はそれ以上の混合アナログオーディオ信号を発生し、混合アナログオーディオ信号内のノイズ効果を相殺するために使用されるアナログノイズ信号を発生するように適合された新規のマルチ信号へクサホニックギターピックアップを含んでいる。混合アナログオーディオ信号は各振動するギター弦に付随する水平および垂直弦信号成分を発生するために処理される。
【００２２】
デジタルギターインターフェース装置は複数の異なる型のデジタルオーディオ信号を受信し、これらの信号をアナログオーディオ信号に変換し、アナログオーディオ信号を出力するように適合される。インターフェース装置はまたデジタル制御信号を受信し、インターフェース装置の出力を制御するためこれらの信号を使用するように適合される。インターフェース装置はさらに外部アナログオーディオ信号を受信し、これらの信号をデジタル信号に変換し、所定のデジタル通信プロトコルに従ってデジタル信号をフォーマット化し、フォーマット化されたデジタル信号を出力するように適合される。
【００２３】
インターフェース装置は以下の部品、即ち、インターフェース装置デジタル入力／出力アセンブリ、インターフェース装置アナログ入力／出力アセンブリ、およびインターフェース装置処理回路を含んでいる。これらの部品はインターフェース装置が要求された機能を実行するのを可能にするように協働する。
【００２４】
本方法は従来のギター出力アセンブリを従来のアナログギターから除去する工程と、ギター内のデジタルギター処理回路を挿入し搭載する工程と、デジタルギター処理回路をギター上に搭載されたギターピックアップおよびギターデジタル入力／出力アセンブリに接続する工程と；従来のギター出力アセンブリをギターデジタル入力／出力アセンブリに置換する工程を含む。
【００２５】
従って、本発明の１つの目的はデジタル信号を出力できるギター、即ち、デジタルギターである。
【００２６】
本発明の他の目的はアナログ信号を受信し、これらの信号をデジタル信号に変換し、デジタル通信プロトコルに従ってデジタル信号をフォーマット化し、フォーマット化されたデジタル信号を出力できるギターのためのギター処理回路を提供することである。
【００２７】
本発明の第３の目的は従来のギター装置と互換可能なデジタルギターを提供することである。
【００２８】
本発明の他の目的はアナログ信号を出力するように動作可能なデジタルギターを提供することである。
【００２９】
本発明のさらに他の目的はデジタル信号を受信し、このデジタル信号をアナログ信号に変換できるデジタルギターインターフェース装置を提供することである。
【００３０】
本発明の第６の目的はデジタル信号を受信し、これらのデジタル信号をアナログ信号に変換し、このアナログ信号を出力するように適合されたインターフェース装置処理回路を提供することである。
【００３１】
本発明のさらに他の目的はギターピックアップ内のノイズ信号を減少又は削除するために使用できるノイズ信号を発生し、且つ振動しているギター弦の水平および垂直信号成分を算出するために使用できる混合アナログ弦信号を発生するように適合された新規なマルチ信号ギターピックアップを提供することである。
【００３２】
本発明の目的はギター用のへクサホニックピックアップを提供することである。
【００３３】
本発明の他の目的はデジタルギターで特に有用なへクサホニックピックアップを提供することである。
【００３４】
本発明の他の目的はオーディオトランスデューササブアセンブリ用の新規な構成を提供することである。
【００３５】
本発明の他の目的はギター内のノイズ信号を減少させ又は削除するために使用できるノイズ信号を発生するように適合された新規なマルチ信号ギターピックアップを提供することである。
【００３６】
本発明の他の目的は改良されたピックアップ構成を提供することである。
【００３７】
本発明の他の目的は振動するギター弦の水平および垂直弦信号成分を算出するために使用できる混合アナログ弦信号を発生するように適合された新規なマルチ信号ギターピックアップを提供することである。
【００３８】
本発明の目的はデジタル信号を出力できるギター、即ち、デジタルギターと共に使用し、それにより、デジタルギターが従来のアナログ装置と接続できる、ブレイクアウトボックスを提供することである。
【００３９】
本発明の他の目的は単一デジタルギター弦信号を受信し、その信号を単一アナログ弦信号に変換できるデジタルギターインターフェース装置を提供することである。
【００４０】
本発明のさらなる目的は新規なマルチ信号ギターピックアップと共に使用するデジタルギターインターフェース装置を提供することであり、このインターフェース装置は各弦の分離したデジタル弦信号を発生し、各弦のアナログ弦信号を発生する。
【発明を実施するための最良の形態】
【００４１】
全体デジタルシステム内のデジタルギター
本発明のデジタルギターが全体デジタルシステムにおいてまず記載される。後の部分はレガシーアナログコンポーネントを有するデジタルギターの使用を可能にするブレイクアウトボックスを有するデジタルギターを記載している。
【００４２】
デジタルギターは所定のデジタルオーディオ通信プロトコルと共に使用するために設計される。以下の記載は本発明の譲受人、ギブソン・ギター・コーポレーション（Ｇｉｂｓｏｎ  Ｇｕｉｔａｒ  Ｃｏｒｐ．）により開発されたＭａＧＩＣプロトコルである好ましいプロトコルの使用を参照している。しかしながら、ここに記載されたデジタルギターが任意の適切なプロトコルで使用できることが理解されるであろう。
【００４３】
メディアアクセレレーテッドグローバルインフォメーションキャリアの頭文字を意味するＭａＧＩＣは本発明の譲受人であるギブソン・ギター・コーポレーションにより開発されたオープンアーキテクチャデジタル接続システムである。ＭａＧＩＣシステムの動作は２００３年５月３日付け工業規格に詳細に説明され、メディアアクセレレーテッドグローバルインフォメーションキャリア工業規格、３．０ｃ版と表題される。この規格に含まれる開示は本出願で参考のために記載される。この規格は次のウエブアドレス、ｈｔｔｐ：／／ＭａＧＩＣ．ｇｉｂｓｏｎ．ｃｏｍ／ｓｐｅｃｉｆｉｃａｔｉｏｎ．ｈｔｍｌ．、でアクセスできる。さらに、ＭａＧＩＣシステムは２００２年３月５日にジャズキーウィクツ（Ｊｕｓｚｋｉｅｗｉｃｚ）らに発行され、“ユニバーサルオーディオ通信および制御システムおよび方法”と表題されている米国特許第６，３５３，１６９号に詳細に記載されている。米国特許第６，３５３，１６９号の開示は本明細書で参考のために記載される。
【００４４】
デジタルギターの典型的な構成およびＭａＧＩＣシステムでの関連するオーディオおよび制御ハードウエアは図１および図２に示される。
【００４５】
楽器とマイクロホンの各々はデジタルである。変形実施例において、マイクロホンはアナログでもよい。増幅器、前置増幅器、およびサウンドボードの各々はＭａＧＩＣデータリンクを使用して接続される。ステージは単一ケーブル（おそらく、光ファイバ）が制御ボード２２に繋がるハブ２８を有する。ギガビットＭａＧＩＣデータリンクは３２ビット１９２ｋＨｚデジタル忠実度の音の１００チャンネル以上と、その他にビデオを可能にする。
【００４６】
各楽器と増幅器が単一ＲＪ−４５ネットワークコネクタを介してステージ上のハブ２８に接続されるので、それらは部屋のサウンドプロフェッショナルの完全制御を与えるユニバーサル制御面（図３）を有するＰＣコンピュータであるサウンドボード２２により直ちに特定される。マイクロホンは実際には演奏中の音を聴取するため部屋中の重要な領域に置かれる。すべての楽器とマイクロホンの相対レベルはバンドが要求するすべての効果であるようにＲＷ  ＣＤ  ＲＯＭディスク又は他のデジタル蓄積媒体に蓄積される。これらのプリセットはスタジオリハーサルで最適化されるまで実施され、微細チューニング補正が各演奏中に記録される。
【００４７】
ギタープレイヤーがステレオ（各耳）モニターおよび目立たないマイクロホンを含むヘッドセット２７を付けている。さらに、各イヤホーンは高度なノイズ相殺および他のサウンド処理を可能にする外部に面するマイクを持っている。プレイヤーはこのパーソナルギアを直接ギター１２に単に差し込み、他のプレイヤーは各楽器のために同様に差し込む。モニターミックスは自動化され、ボードのＣＤ−ＲＯＭ上のプリセットごとに異なるチャンネルから供給される。モニターサウンドレベルは演奏者の選択からなる（ギタープレイヤーは大音量である）。
【００４８】
ギタープレイヤーはＭａＧＩＣを動作可能にする小スタンドマウント型ラップトップ１７（図２）を持っている。これにより楽器、ボーカル効果、および歌詞に関する高度の視覚的キューを可能にする。ラップトップ１７はラップトップ１７上のコネクタにＵＳＢケーブル１６を介して比較的標準の制御装置であるペダルボード１５と繋がる。他のＵＳＢケーブルは実際には騒々しい音楽を作る装置と同様に特化デジタルプロセッサである増幅器１３に繋がる。このギター１２はこの増幅器１３にプラグインされ、増幅器１３はＭａＧＩＣ  ＲＪ−４５ケーブル１１を使用してハブ２８にプラグインされる。
【００４９】
ラップトップ１７は再生可能ないくつかのサウンドファイルと同様に増幅器内のＤＳＰに供給された独自のサウンド効果プログラムのいくつかをプリセットするだけでなく蓄積することを含んでいる。もしドラマーは姿を見せなくても、ラップトップが使用できる。
【００５０】
ギタープレイヤーが自分の楽器を一旦かき鳴らす。ラップトップ１７はチューナの多くの回音が楽器を調和状態に持たらすためにどのように要求されるかに関する指示を有するすべての６本の弦および、（例えば、弦を取り替えるために必要である）弦が持つ音の度数を示すメータを示している。ＤＳＰ増幅器は、ギター弦が調子はずれである場合又はギターを異なる調律に置かれる場合でも、調律するためにすばやくギター弦を調整可能である。しかしながら、このプレイヤーは“リアル”音を好むので、自動調律機能を止める。
【００５１】
これらの新しいギターのいいところはより古い楽器の一部でないネックおよびタッチ面を強く握ることにより得られる追加のニュアンスである。これらはより音楽的に貢献する能力を提供する。
【００５２】
奏者としてはサウンド技術者が事前に用意される。ルームアコースチックは“ボード／ＰＣ”に存在する。バンドのＲＷ  ＣＤ−ＲＯＭ又は他のデジタル蓄積媒体はこの情報を取り込み、夕方中にこれらの全体の装置セットアップを調整するプログラムを含む。技術者は劇場の全サウンド圧力およびバンドでの問題に限界を設定するために必要であり、潜在的な問題をモニターすることを除いて実施される。
【００５３】
音とルームアコースティックモデリングの複雑さは従来技術のマニュアルオーディオコンソールを使用して解決することができなかった。現在、３次元の高度のパンニングとイメージングがある。従来の位相とエコーの恒常的な妥協はデジタル的に補正される。ルームは大会堂、オペラハウス、又は小さなクラブのように響く。
【００５４】
新しい方式のパワースピーカ１８も有用である。各スピーカ１８はデジタルＭａＧＩＣ入力部および４８ＶＤＣ電力入力部を有する。これらは全てパワーハブ１９およびボード２２のハブで終端する。より大きな部屋で、部屋中にハブがあり、ケーブルの必要を最小化している。各増幅器コンポーネントは容易に置換可能であり、各スピーカも同様である。ミュージシャンは追加のコンポーネントを有し、必要であればセット間でコンポーネントを消去できる。
【００５５】
ＭａＧＩＣシステムはラック効果とパッチベイの壁なしで済ませてもよい。これらの従来技術装置の全ての機能性はボード−ＰＣ又は付属されたＤＳＰコンピュータ内のソフトウエアプラグインに存在する。多くのミュージシャンはこれらのプラグインを持参し、演奏環境での全面的な制御を好むであろう。
【００５６】
バンドはかれらの演奏を記録できる。全ての個別のトラックはボード−ＰＣシステムに蓄積され、スタジオでの将来の編集のためにＤＶＤ−ＲＯＭにダウンロードされる。
【００５７】
ＭａＧＩＣシステムをセットアップするため、プレイヤーはかれらの機器を舞台に設置する。かれらは自身の楽器を増幅器、ラップトップ、等に接続する。これらは順にＭａＧＩＣハブに接続される。バンドプリセットが装填され、歌１に合図を送られる。ハウスシステムは調整サウンドトラックの３０秒バーストを実行し、バンドを紹介できる。
【００５８】
数年前のキーボードの役割はキーボード製品がサウンド付の制御器（キー）以上になるワークステーションアプローチに進んだ。ワークステーションアプローチはＭＩＤＩ、シーケンサを介する他の電子ボックスを制御する能力を有するデジタル制御センターになり、ボックス内のサウンドを彫刻するため非常に高度の（エディティング）ツールを含んでいる。ワークステーションアプローチは基本量の残響および以前は外部であった他の音響効果を含んでいる。
【００５９】
ＭａＧＩＣシステムにおいて、ギター増幅器はギタープレイヤーのためのワークステーションであり、以前外部であった多くの効果を包含している。事実上、増幅器は実際にプレイヤーの制御システムの役目になり、演奏中占有されないプレイヤーが有する唯一の付属物を介して、即ち、自身の足を介する制御を可能にする。更に、プレイヤーがより高度の制御変化を実行でき且つ自分のシステムがどのように機能しているかを視覚的に見れる小型のスタンド搭載型ラップトップはプレイヤーのすぐそばにある。ビュー画面は歌詞とコード変化がセットリストで表示されるのを可能にする。
【００６０】
新ＭａＧＩＣシステムの増幅器はコンピュータと将来のスタジオワールドへの他の強化と統合のフレキシブルなリアル制御を可能にする。
【００６１】
増幅器は構成部品に分離できる：即ち、前置増幅器１（制御装置又はノブ）、前置増幅器２（サウンド変更子）、パワー段（単一増幅）、スピーカ（音波エンベロープを発生）、キャビネット（美的価値観および耐久性）。
【００６２】
これは構成部品を見る場合多くの機能性である。ＭａＧＩＣシステムは新規の技術および楽器増幅器を調べる完全に新しい方法を導入している。多くの設計者と会社は全体の構成要素をすでに同定し、適度の成功を有する単一目的製品としてそれらの１つを市販した。しかしながら、制御器キーボード（音声の無いもの）が主な市場浸透にならなかったと同時に、単一目的製品はプレイヤーを満足させなかった。ＭａＧＩＣワークステーションは使用しやすい形状の構成要素の全てを包含している。
【００６３】
上述のように、ＭａＧＩＣリンクは現在入手可能なコンポーネント、イーサネット（登録商標）標準（通信プロトコル）、共通に使用されるＲＪ−４５コネクタ、およびインターネット型フォーマッティングを利用している新しい通信プロトコルを使用している。これはシステムが更なる処理および増幅のための楽器からの直接伸びる標準ケーブルで１０チャンネルのデジタル音楽サウンドを送ることを可能にする。音楽記述言語と共に新アップグレードＭＩＤＩ標準信号もこのケーブル上を伝達できる。この方式はＤ／Ａ変換を含む楽器内の回路に電力供給するため同一ケーブル上に記載されたような最大ファントム楽器電力を可能にする。一実施例において、ファントム電力は工業基準８０２．３ａｆ“パワーオーバイーサネット（登録商標）”方法を使用して供給される。
【００６４】
ＭａＧＩＣ回路ボードは非常に小さく、カスタム特定用途向集積回路（ＡＳＩＣ）および表面搭載技術を使用している。ＭａＧＩＣ回路ボードはクラシックギターでの標準ピックアップとＣＰＡに接続され、各弦の個別トランスデューサを提供する新ヘクサホニックピックアップに特に好適である。
【００６５】
ＭａＧＩＣイネーブル楽器
ＭａＧＩＣイネーブル従来楽器での唯一の顕著なハードウエアの差異はＲＪ−４５雌コネクタと小型ステレオヘッドホンアウトの追加である。もちろん、この革新は新しいモダン楽器の設計において可能な新しい多くの可能性を形成する。古い楽器は普通に使用されるモノホニックオーディオコネクタを新しいＲＪ−４５コネクタと小型改造回路ボードに単に交換することにより新しい機能性のほとんどにアクセスできるであろう。
【００６６】
元のアナログ出力はいつものように音の反響無しで得られ、デジタルの特徴を使用する必要が無い。ＭａＧＩＣシステムはデジタル信号と純粋なアナログ信号へのアクセスを可能にする。
【００６７】
出力のために入手可能な８デジタルチャンネルを有するので、これらのうち６チャンネルは６弦楽器の各弦により使用される。２チャンネルは更なるルーティングのための楽器に直接入力するために利用できる。典型的なセットアップにおいて、１つの入力部は演奏者のヘッドセットからのマイクロホンであり、他の入力部はメインボードから供給されるモニターミックスである。ヘッドホンは部屋の音の反響無しでミュージシャンの嗜好に調整されるステレオモニターである。
【００６８】
物理的コネクタは簡単で、安価で、高信頼性のＲＪ−４５ロッキングコネクタとカテゴリ５より線８導体ケーブルである。
【００６９】
新へクサピックアップ／トランスデューサは処理されるべき６つの独立信号を伝達する。トランスデューサはギターブリッジ上にストップバーサドル内に配置される。代案として、クラシックアナログ信号はポストＣＰＡをクラシック原電磁ピックアップからのデジタル信号に変換される。デジタル信号（Ａ／Ｄ変換器）に直ちに変換され、ＭａＧＩＣデータストリームに導入される２つのアナログ信号入力部がある。  
【００７０】
このＭａＧＩＣ  ＡＳＩＣおよびＭａＧＩＣ技術は実質的に単にギターだけでなく各楽器に適用できる。
【００７１】
１．前置増幅器１（制御器又はノブ）
制御面
増幅器の電流発生のためのノブ又は制御器は性能設定および実際的に事実上各々の他の設定で使用できない。１１０デシベルの周囲音レベルが存在する場合制御ノブを調整することは非常に困難である。ＭａＧＩＣおよびＵＳＢプロトコルを利用して、通信リンクは性能／スタジオシステムの全てのコンポーネントがあれば入手できる。どのコンポーネントも音を劣化させること無くどこにでも存在できる。ＭａＧＩＣ標準はＭＩＤＩフォーマットを使用するがほぼ１００倍の帯域幅を有する高速制御情報のチャンネルを含む。ＭａＧＩＣシステムはＭＩＤＩを使用する現在の楽器（ほとんどのキーボードおよびサウンドシンセサイザー）と下位互換可能である。
【００７２】
表示器とノブは分離ユニットである。ＭａＧＩＣシステムにおいて、これはマスターラック（Ｍａｓｔｅｒ  Ｒａｃｋ）に直接又はＵＳＢコネクタを介してラップトップコンピュータに接続される物理制御面と称される。ラップトップを使用する場合、ラップトップは種々の設定およびパラメータ等を示す視覚情報画面として機能する。ラップトップに常駐のソフトウエアは無限のパラメータの制御を可能にするミュージックエディターである。
【００７３】
このラップトップは目立たないが高機能であり、設定は正常視力を有するプレイヤーに対して１２フィートの距離から見えるこの画面上に表示できる。ラップトップはＵＳＢコネクタを有する。処理が行われるマスターラックに出ているＵＳＢ又はＭａＧＩＣアウトを有するペダル制御器もある。ＭａＧＩＣおよびＵＳＢがファントムパワーを有するので、制御面およびフット制御器は電力がこれらのコネクタを介して供給される。主デジタルミキサーとミュージックエディター用のソフトウエアドライバは制御器機能が事実上どのような環境でも再現されるのを可能にする。
【００７４】
フット制御器は１つの連続制御器ペダル、１つの２次元連続制御器ペダル、および上記のように集合した１１個のフットスイッチを有する。
【００７５】
２．前置増幅器２（サウンド変更子）
マスターラックユニット
マスターラックユニットはデジタルＭａＧＩＣ未処理信号を取り込み、分配（ルーティング）のためＭａＧＩＣ処理デジタル信号を出力するコンピュータである。マスターラックは５個のラックユニットを受け入れるキャビネットエンクロージャ内にある。グローバル増幅システムはラックユニットの２つを使用し、他の３つは任意のラック搭載ユニットが追加されるのを可能にする。
【００７６】
マスターラックエンクロージャはカバーおよび交換可能なコーデュラ（Ｃｏｒｄｕｒａ）（登録商標）ギグバッグカバーでざらついている。エンクロージャはＵＰＳサイズ要件に合致しており、きわめて軽量である。３個の空のラックは（ユニットと共に進む）滑り込み型トレイ上にあるが、効果装置が容易に除去され、代替され、別個に運ばれることを可能にする。ラックトレイはマザーボードユニットと電気的に接触するので、ステレオ入力、ステレオ出力、２フットスイッチ入力、およびデジタル入力部および出力部が得られ、一旦効果装置がドックに入れられると接続は必要としない。  
【００７７】
マスターラックエンクロージャは演奏者／プレイヤーに非常に有益であるいくつかの斬新な特徴を有する。電力コンセントがあり、片側の４つが３つの空のラックベイに加えて他のベイに対する電力を可能にする。電力コンセントはコンセント間の距離に関して壁プラグ電源（壁ワート（ｗａｌｌ  ｗｏｒｔｓ））を可能にし、これらの好ましくない電源のためのスペースを可能にする。電源は（保護され目立たない）エンクロージャ内にネスト（ｎｅｓｔｅｄ）され、再度処理する必要が無い。ループはこれらの電源が簡単なひも結びを使用して固定されるのを可能にする。
【００７８】
全てのラックユニットはユニットが置かれる滑動プレートに搭載される。効果装置は“ホットスワップ”コンピュータ周辺装置と同様に引張り出し且つ交換可能である。１組のパッチベイ入力および出力はマスターラックの後部からのヒンジ作用を介してアクセス可能な背面上に搭載される。パッチベイの他方は不必要な場合引っ込み且つ目立たなくされるエンクロージャの上部からアクセス可能である。集中グローバル増幅システムに対する全てのＩ／Ｏはフレキシブルで半永久セットアップのためのベイ上にある。
【００７９】
グローバルアンプラックユニットはメインテナンスおよび交換のために引き出し可能である。ラックユニットの１つは“ホットスワッパブル”ハードディスク、“ホットスワッパブル”ＣＤ−ＲＷユニット、およびデジタル処理および信号ルーチングおよび制御回路を含むＭａＧＩＣシステムのための制御コンピュータである。制御ユニットはデジタルＭａＧＩＣ信号を取込み及び取り出し、２個のＵＳＢコネクタは汎用処理セクションに接続される。プロセッサセクションはリアルタイムで集中的にマルチデジタル信号を処理し、全てのＭａＧＩＣ制御機能を処理する。
【００８０】
ラックユニットはアウトボード蓄積装置と通信するため内部ＳＣＳＩインターフェースを使用する。これは音の変更のほかリアルタイム再生のため音楽信号を記録し蓄積する能力を可能にする。このユニットは内蔵エコプレックス（Ｅｃｈｏｐｌｅｘ）（登録商標）に加えて安物のハード媒体からロードするため大きいプログラムを蓄積するための能力を有する。ＳＣＳＩプロトコルを使用することによりハードディスク、ＺＩＰドライブ、ＣＤドライブ等の使用を可能にし、高価なＲＡＭの使用を最小にできる。
【００８１】
他のラックユニットは電源と他の“高電圧”リレー等を含む。電源は好ましくは世界中で使用可能なスイッチング電源である。ラックベイの電源コンセントはこれらの効果のためでさえ世界的規模での使用に適用するためトランスフォーマーに接続される。
【００８２】
マスターラックはベースユニット／サブウーハーの上部にネストされ、マイクロホン型ロッキング伸張ロッドを介してベースから拡張する。このように、ユニットは容易にアクセス可能な高さおよび演奏者／プレイヤーによる視野に持ち上げられる。
【００８３】
４８ＶＤＣ電源バスが提供される。この電圧を非ＡＣボックスのための共通電圧にステップダウンさせるモジュールが入手可能である（例えば、１２ＶＤＣ、９ＶＤＣ）。これにより接地ループおよび重い壁コンセント電源を不要にする。
【００８４】
３．電源ステージ（単純増幅）
信号増幅の主な取り組みは特に増幅が高レベルにある場合電源部で対処することである。ＭａＧＩＣシステム装置は従来のスイッチング電源を標準４８ＶＤＣを供給するために使用する。これにより諸外国での認証の問題を解決し、“増幅器”を世界のどの国でも使用することを可能にし、重量の削減を可能にし、且つ安全性を確保し、信頼性およびサービス性を増す。
【００８５】
４．スピーカ（サウンド変更子、サウンドエンベロープ生成する）
スピーカはデジタルＭａＧＩＣ信号と４８ＶＤＣ電源入力を有する。追加的に、スピーカは内蔵電源を保有でき、ＡＣを取り込める。
【００８６】
スピーカキャビネットは情報をＭａＧＩＣリンクを介してマスターラックに返送する内蔵モニタリングトランスデューサを保有し、高度なフィードバック制御アナゴリズムを受入可能である。このように、ＤＳＰ増幅器により実行中にデジタル的に調整することにより、安価なスピーカでもサウンドをフラットにしたり、個人の好みに合うように起伏を付けられる。
【００８７】
さらに、各スピーカが単一のキャビネット内のギター弦ごとに使用されより広範囲な音を提供するマルチスピーカアレイは使用できる。
【００８８】
５．キャビネット（美的価値観と耐久性）
スピーカキャビネットを“パケット化する”ことにより、小型で拡張可能に製作可能である。換言すると、スピーカはサウンドレベルを増加させるため又はステージ、スタジオ、または演奏会場でより良く分配できるようにスタック化できる。高度のパンニングおよび空間広がり性効果が生演奏においても利用できる。スピーカはＵＰＳで発送可能であり、飛行機での発送にふさわしい。
【００８９】
ユニバーサル制御面
ＭａＧＩＣシステムで使用可能なユニバーサル制御面の一実施例が図３に示される。
【００９０】
２４スライダーポート制御装置
各スライダーはスライダーの左側のＶＵメータとして作用する（又は他のパラメータを反映する）ＬＥＤを有する。近傍のＬＥＤを有する単一のスイッチはスライダーの底部にある。４個のロータリー制御装置は各スライダーの上部にある。おそらく、フルレコーディングジョグシャトル、記録型ボタン、および“ｇｏ  ｔｏ”ボタンを含んでいる。
【００９１】
特定の用途のため制御面に設けられる標準制御位置テンプレートが印刷又は発行可能である。
【００９２】
図３に示される制御面は真のミキシングコンソールを示さない。制御装置は単にノブ等の位置のデジタル表示に変えられ、ミキシング、エディティング等のような真の作業が生じるＵＳＢ、ＭＩＤＩ又はＭａＧＩＣを介してコンピュータに送られる。制御面はＵＳＢを介してリモートＰＣに接続可能である。
【００９３】
このように、デジタル領域の楽器および関連するオーディオコンポーネントのユニバーサル相互接続、通信および制御を可能にするシステムおよび方法が説明された。
【００９４】
レガシーシステムにおけるデジタルギター
デジタルギター１２はアナログ増幅器、スピーカ、効果ボックス等のような従来のアナログ装置と完全に互換可能である。アナログ装置と共にデジタルギター１２を使用する１つのルートはギターから出力された従来のアナログ出力をアナログ装置に単に接続することである。しかしながら、各弦からのデジタル信号を操作する柔軟性をうまく利用するためにデジタル出力をアナログ装置に接続することが望ましい。これはデジタルギターインターフェース装置としてここに参照されたインターフェース装置、即ちブレイクアウトボックス１０２を介して実施される。
【００９５】
図４を参照して、本発明のデジタルギターシステム１００は前述のデジタルギター１２とデジタルギターインターフェース装置１０２を含む。ギター１２はＭａＧＩＣ接続ケーブル１０４を使用してインターフェース装置１０２に接続される。ギター１２は広範囲の異なるデジタルオーディオおよび制御信号を出力するように適合され、インターフェース装置１０２はデジタルオーディオ信号をアナログオーディオ信号に変換し、且つインターフェース装置１０２のアナログ出力を制御するためデジタル制御信号を使用するように適合される。ギター１２は外部デジタルおよびアナログオーディオ信号を受信するように適合される。外部デジタルオーディオ信号はインターフェース装置１０２から受信され、外部アナログオーディオ信号はマイクロホンのような広範囲の外部オーディオ装置の何れか一つから受信される。インターフェース装置１０２は広範囲の外部オーディオ装置の何れか一つからの外部オーディオ信号を受信するように適合される。この場合、しかしながら、外部アナログオーディオ信号はＣＤプレーヤー又はモニターミキサーから出力される。電源にかかわらず、インターフェース装置１０２はこれらの外部オーディオ信号をギター１２に送信される外部デジタルオーディオ信号に変換する。
【００９６】
図５および図６を参照すると、（ＭａＧＩＣギターとして参照される）デジタルギター１２はギター本体１０６、ギター本体１０６に搭載された６本のギター弦１０８、ギターピックアップアセンブリ１１０、デジタルギター処理回路１１２、ギターデジタル入力／出力アセンブリ１１４、ギターアナログ入力／出力アセンブリ１１６、およびギター制御アセンブリ１１８を含む。ギターピックアップアセンブリ１１０は２つのアナログハムバッカ弦信号を発生するために適合された２つのハムバッカギターピックアップ１２０を含む。ギターピックアップアセンブリ１１０はギター１２上に搭載された６本のギター弦１０８の各々のための２つのアナログ混合弦信号およびアナログ混合弦信号内のノイズを表すアナログノイズ信号を発生するように適合された新規なマルチ信号へクサホニックギターピックアップ１２２を含む。各アナログ混合弦信号はｘ平面信号成分（例えば、ギター本体に関する水平弦振動を示すアナログ弦信号）およびアナログｙ平面信号（例えば、ギター本体に関する垂直弦振動を示すアナログ弦信号）を含む信号である。さらに、特定の弦の各対のアナログ混合弦信号は反転ｘ平面信号成分を含む。換言すると、各対のアナログ混合弦信号は反転又は反対極性を有するｘ平面信号成分を含む。
【００９７】
ＭａＧＩＣギター１２は全ての従来のギターと１００％下位互換性がある。２つのハムバッカピックアップ１２０、ハムバッカ音量／音色制御ノブ１８２（図１４）、ピックアップセレクタスイッチ１７８（図１５）、および１／４インチ出力１８６（図１５）からの信号路は既存のギブソンのギターと電気的に同一である。物理的に、従来のポイントツーポイントワイヤリングはギターデジタル処理回路内の受動システム又はＴ２モジュール１１２（図１５）により置換される。
【００９８】
ギター１２は２つの異なるモード、即ち、従来モードおよびＭａＧＩＣモードで動作する。従来出力はＭａＧＩＣ接続があるかどうかにかかわらず得られる。
【００９９】
ギターピックアップアセンブリ１１０は用途により変化する。例えば、ある実施例において、ピックアップアセンブリ１１０は単一のモノホリックギターアセンブリのみを含む。換言すると、ピックアップアセンブリ１１０はポリホニックギターピックアップ又は新規なマルチ信号ギターピックアップ１２２の一つのみを含んでもよい。要するに、１つ又は複数のアナログ弦信号を発生するギターピックアップのいずれの型も本発明のデジタルギター１２で使用できる。
【０１００】
図７−図８に示されるように、新規なマルチ信号へクサホニックギターピックアップ１２２は１３コイル電磁アレイであり、ブリッジ１２８に搭載された６本弦ピックアップサブアセンブリ１２４（例えば、電気トランスデューサ）および１個のノイズピックアップサブアセンブリ１２６を含む。各弦ピックアップサブアセンブリ１２４はボビン型支持構造１２９と、支持構造１２９内の磁気アセンブリ１３０と、および磁気アセンブリがコイルアセンブリ１３２を貫通するように支持構造１２９上に搭載されたコイルアセンブリ１３２を含む。各弦ピックアップサブアセンブリ１２４内のボビン形状支持構造１２９は同形状である２つの支持構造サブアセンブリ１３４を含む。各支持構造サブアセンブリ１３４はフランジ上部１３６、ベース１３８、およびフランジ上部１３６とベース１３８間のコア１４０を含む。各コア１４０は磁気アセンブリ１３０と共に使用されるポールピース１４４を受け入れるように適合されるコア開口部１４２を含む。各ベース１３８はベース開口部１４６を含み、磁気アセンブリ１３０のポールピース１４４が支持構造サブアセンブリ１３４のコア１４０が支持構造アセンブリ１３４のコア１４０に容易に挿入され、磁気アセンブリ１３０と共に使用される磁石１４８がベース１３８内に挿入されポールピース１４４と接触するのを可能にする。各ポールピース１４４はＴ形状であり、１端にフランジ部１５０を含む。各コイルアセンブリ１３２は２個のコイル１５２を含み、これらのコイルは支持構造サブアセンブリ１３４のコア１４０に包み込まれるので、磁気アセンブリ１３０のポールピース１４４の周囲にあり、互いに位相がずれている。各コイルアセンブリ１３２は２個のコイルに接続され支持構造サブアセンブリ１３４上に搭載された４個のピン出力アセンブリ１５４を含む。
【０１０１】
へクスピックアップ１２２は９５デシベル信号対ノイズ比およびブリッジに組み込まれた４５デシベル弦間アイソレーションを有するように設計される。さらに、ネックを介してブリッジから本体および弦から本体への接続は機械的に分離される。ある用途において、へクサピックアップ１２２の使用はギター１２のブリッジに対する磁気構造の追加を要求する。ギター１２はデジタルセクションとアナログセクション間の内部シールドを含んでもよい。
【０１０２】
明確にするため、図８でコイル１５２がコア１４０を単に部分的にカバーしていることが示される。実施には、コイル１５２はコア１４０を完全に被覆し、当技術で既知であるように数千回の巻回を含んでいる。
【０１０３】
各弦ピックアップサブアセンブリ１２４はデジタルギター１２上のギター弦１０８の近傍に位置決めされ、弦が弾かれるとコイル内の所定数のアナログ弦信号を発生するするように適合される。磁気アセンブリ１３０は磁石ポールピース１４４、支持構造サブアセンブリ１３４内のコア１４０、およびコア１４０を包み込まれたコイル１５２を介して磁石１４８から外方向に所定の距離延長する２つの平行磁界（図示せず）を発生する。磁界が磁石１４８から外方向に伸びる距離は用途により変化する。しかしながら、一般に、磁界は磁気的に透過するギター弦１０８の１つが磁界に位置決めされ、弦が弾かれると振動により磁界を変化させるように充分に遠方に且つ外方向に延長すべきである。各弦ピックアップアセンブリ１２４がギター弦１０８の近傍にデジタルギター１２上に適切に位置決めされると、振動するギター弦により生じる磁界の変化はコイル１５２に混合アナログ弦信号を発生する。
【０１０４】
１つのコア１４０の周囲に包み込まれたコイル１５２はデジタルギター処理回路１１２に接続されるように適合されるので、これらのコイルにより発生した混合アナログ弦信号は他のコア１４０の周囲に包み込まれたコイル１５２により発生した混合アナログ弦信号と位相がずれている。
【０１０５】
（新規なオーディオトランスデューサ１２４として単に参照される）弦ピックアップサブアセンブリ１２４の特徴は特定の用途に依存して変化する。例えば、ある実施例において、オーディオトランスデューサ１２４は２つのコイル１５２のみを含み、ギター弦１０８が弾かれるとこれらのコイルを使用して２つのアナログオーディオ信号のみを発生するように適合される。他の実施例において、オーディオトランスデューサ１２４はコイル１５２と磁石１４８が支持構造１２９により完全に囲むように適合される。さらに他の実施例において、支持構造１２９は支持構造１２９はプラスティックを使用して製造され、コイル１５２を形成するために使用されるワイヤは米国ワイヤゲージ規格に従った５８ゲージを有し、ポールピース１４４はスチールであり、磁石１４８はネオジムボロンであり、ほぼ５０エルステッドの磁界強度を発生する。他の一連の実施例において、コイルアセンブリ１３２は信号の信号対イズ比を改善するため混合アナログ弦信号を異なって出力するように適合される。即ち、各コイル１５２は２つの端部を有し、両端部はコイルに付随する混合アナログ弦信号を出力するように使用される。
【０１０６】
ノイズピックアップサブアセンブリ１２６はボビン状支持構造サブアセンブリ１３４の１つと弦ピックアップサブアセンブリ１２４と共に使用されるコイルアセンブリ１３２の１つを含む。ノイズピックアップサブアセンブリ１２６は弦ピックアップサブアセンブリ１２４のような磁気アセンブリ１３０を持っていない。ノイズピックアップサブアセンブリ１２６はピックアップの周辺の雰囲気から電気および環境ノイズ、即ち、従来のギターピックアップに付随する既知の“ハム”を発生する低周波平面波を受信し、弦ピックアップサブアセンブリ１２４により発生するアナログ弦信号内のこのノイズを相殺するために使用されるノイズ信号を発生する。
【０１０７】
図９を参照すると、デジタルギター処理回路１１２はギター前置増幅器回路１５６、ギター混合回路１５８、ギターアナログ／デジタルコンバータ（変換器）回路１６０、ギターデジタル通信回路１６２を含む。前記増幅器回路１５６は感知音の品質を増加するためハムバッカ１２０とマルチ信号へクサホニックギターピックアップ１２２により発生したアナログ弦信号をを増幅するように適合される。前置増幅器回路１５６は以下により詳細に述べられるアナログマイクロホン信号とアナログヘッドホン信号を増幅するように適合される。本発明の前置増幅器回路１５６の一実施例を示す概略図が図２９−３６に示される。
【０１０８】
ギター混合回路１５８は各弦のアナログｘ平面およびｙ平面弦信号成分を発生するため各弦の２つのアナログ混合弦信号を合成し、且つ各ギター弦の単一アナログ合成弦信号を発生するためｙ平面およびｙ平面弦信号成分を合成するように適合される。混合回路１５８は加算回路１６４、減算回路１６６、および合成回路１６８を含む。加算回路１６４は各弦のため２つのアナログ混合弦信号を合計することにより各弦のアナログ合計弦信号を発生するように適合される。減算回路１６６は各弦の２つのアナログ混合弦信号を減算することにより各弦のアナログ減算弦信号を発生するように適合される。合成回路１６８はアナログ加算および減算弦信号を合成し各弦の単一のアナログ合成弦信号を発生するように適合される。
【０１０９】
混合回路１５８は減算弦信号と合成される以前にノイズピックアップサブアセンブル１２６により発生したノイズ信号を合計弦信号から減算するように適合されるノイズ減算回路１７０を状況に応じて含んでよい。
【０１１０】
ギター混合回路１５８の２つの異なる実施は図１０および図１１に示される。図１０において、混合回路１５８は差動コイル信号出力部と共に示され、図１１において、混合回路１５８は信号コイル信号出力部と共に示される。差動出力部の使用によりコイル１５２により発生した混合アナログ弦信号の信号対ノイズ比を改善するが、どちらかの実施が使用できる。
【０１１１】
ギターアナログ／デジタル変換器回路１６０は各弦の（以下に示されるように選択された）アナログハムバッカ弦信号、アナログマイクロホン信号、およびアナログ合成弦信号の１つをデジタル合成弦信号に変換する。これが６個のデジタル合成弦信号、１個のデジタルハムバッカ弦信号、および１個のデジタルマイクロホン信号を発生する。アナログデジタル変換器回路１６０はさらに（以下により詳細に述べられる）デジタルヘッドホン信号をアナログヘッドホン信号を変換するように実施可能である。
【０１１２】
デジタル通信回路１６２は、ＭａＧＩＣ通信プロトコルと互換するフォーマットで、以下に述べられる、アナログ／デジタル変換器回路１６０より発生した全てのデジタル弦信号、デジタルマイクロホン信号、およびデジタル制御信号をフォーマット化するように実施可能である。図１２を参照すると、デジタル通信回路１６２は双方向オーディオインターフェース１７２、双方向制御インターフェース１７２、およびイーサネット（登録商標）インターフェース１７６を含む。双方向オーディオインターフェース１７２はデジタル弦およびマイクロホン信号のようなデジタルオーディオ信号を送受信するように適合され、双方向制御インターフェース１７４はデジタル制御信号を送受信するように適合される。イーサネット（登録商標）インターフェース１７４はデジタル通信回路１６２がＭａＧＩＣデジタル通信システムの一部を形成するイーサネット（登録商標）物理層と接続するのを可能にするように適合される。
【０１１３】
デジタルギター処理回路１１２の一実施例が図１３（回路１１２の同様な実施例を示す図１６も参照）に示される。この実施例において、ギター前置増幅器回路１５６はマルチ信号ピックアップ１２２により発生する１２個の混合アナログ弦信号用の（ｐｒｅａｍｐ  ｘ１３とラベル付けされた）前置増幅器、ハムバッカピックアップ弦信号又はレガシーシステム弦信号用の（単にｐｒｅａｍｐとラベル付けされた）前置増幅器、およびギターアナログ／デジタル変換器回路１６０のＤＡＣ部により出力されたアナログヘッドホン信号を増幅するためのヘッドホン前置増幅器１５６に分離される。この実施例はヘッドホン信号ボリュームを制御するために使用されるポテンショメータ（Ｐｏｔ）１５５、およびマルチ信号ギターピックアップ１２２により発生した大きいアナログオーディオ信号がギターアナログ／デジタル変換器回路１６０の設計限界を超過するのを防止するように適用されるリミッタ回路１５７を含む。ギターアナログ／デジタル変換器回路１６０により発生したデジタルオーディオ信号を処理しフォーマット化するために使用されるＴ２チップまたはモジュールおよびＩ２ｓ  Ｅｎｇｉｎｅおよびｓｙｎｃを含むギターデジタル通信回路１６２が示される。最終的に、デジタルギター処理回路１１２は２つのセクション、即ち、ギターアナログデジタル変換器回路１６０で２つのセクション、即ち、アナログセクション（又は平面）１１１およびデジタルセクション１１３に分割され、ギターアナログ／デジタル変換機回路１６０が２セクチョンに分離している。アナログおよびデジタルセクションは単一回路ボード上で合成される。
【０１１４】
図１６に示されるように、コイルの出力部は差動入力部を有する１３個の前置増幅器に供給される。一旦充分な信号条件付けが実行されると、各対のコイルの出力部は加算され、各々から減算される。ハムとノイズを打ち消すため、１３番目のコイルの反転が追加された対コイルに適用される。両軸は将来の製品を処理するため全ての可能な調和性を提供するために合成される。１３個のトランスデューサがあるが、６個のデジタルチャンネルのみが後の処理のために実際にデジタル化される。変形実施例において、各軸からの信号は合成されず別々にデジタル化される。この場合、１２個のデジタルチャンネルは後の処理のために利用される。
【０１１５】
図５に戻って参照すると、ギターデジタル入力／出力アセンブリ１１４はデジタル弦、マイクロホンおよび制御信号を出力し、デジタルギターインターフェース装置１０２から一対のデジタルオーディオ信号を受信するように適合される。ギターアナログ入力／出力アセンブリ１１６はギター制御アセンブリ１１８を使用して選択されたアナログハムバッカ弦信号の１つを出力するように適合される。ギターアナログ入力／出力アセンブリ１１６はアナログマイクロホン信号を受信し、アナログヘッドホン信号を出力するように適合される。一実施例において、ギターデジタル入力／出力アセンブリ１１４はＲＪ−４５出力ポートであり、ＭａＧＩＣ互換可能出力コネクタである。ＲＪ−４５出力ポート１３０はデジタル化されたへクスピックアップ出力の６チャンネル、デジタル化されたハムバッカ出力の１チャンネル、デジタル化されたマイクロホン出力の１チャンネル、およびデジタル化されたモニター混合出力の２チャンネルを提供する単一双方向ＭａＧＩＣアウトポートである。ギター１２は４８および９６ｋＨｚサンプルレートで２４ビットオーディオをサポートする。
【０１１６】
図１４を参照すると、ギター制御アセンブリ１１８はギターピックアップセレクタ１７８、ヘッドホンボリュームコントロール１８０、および２組のハムバッカギターピックアップボリュームおよびトーンコントロール１８２を含む。ギターピックアップセレクタ１７８はユーザがギターアナログ入力／出力アセンブリ１１６に出力されるべきハムバッカギターピックアップ１２０の１つを選択するのを可能にするように適合し、ヘッドホンボリュームコントロール１８０はアナログヘッドホン信号出力の音量を制御するように適合される。ハムバッカギターピックアップボリュームおよびトーンコントロール１８２はハムバッカギターピックアップ出力の音量と音色を制御するように適合される。音色と音量ノブ１８２は二重スタックポテンショメータを含むので、アナログ出力を同時に調整でき、且つＭａＧＩＣ制御パケットを発生できる。各ポテンショメータは付随のノブの位置をサンプルするために使用される８ビットアナログ／デジタル変換器（ＡＤＣ）を含む。各ポテンショメータから得られるデジタルデータは以下により詳細に説明されるデジタルギターインターフェース装置１０２に中継される。このデータをさらに他のデジタル装置に出力してもよい。
【０１１７】
デジタルギター１２の１つの特定の実施例が図１５に示される。この実施例において、ギターアンログ入力／出力アセンブリ１１６は２つのアセンブリ、即ち、マイクロホン／ヘッドホンアセンブリ１８４および１／４インチ出力アセンブリ１８６に分割された。マイクロホン／ヘッドホンアセンブリ１８４はマイクロホンオーディオ信号を受信し且つヘッドホンオーディオ信号を出力するように適合される。１／４インチ出力アセンブリ１８６はハムバッカピックアップ弦信号の一つを出力するように適合される。この図において、デジタルギター処理回路１１２はＴ２モジュールと称され、ギターデジタル入力／出力アセンブリ１１４はＲＪ−４５出力コネクタを使用して実施される。ヘッドホンボリュームコントロール１８０とハムバッカギターピックアップボリュームおよびトーンコントロール１８２は図１５に示されていない。
【０１１８】
図２１Ａおよび図２１Ｂに示される他の特定の実施例において、マイクロホン／ヘッドホン（プレート）アセンブリ１８４はマイクロホン入力２３０、ヘッドホン出力２３２、および安全上の理由で含まれるヘッドホンボリュームコントロール１８０を含む。マイクロホン／ヘッドホンアセンブリ１８４、１８４Ａおよび１８４Ｂの２つの別代案は図２１Ａおよび図２１Ｂに示される。図に示されるように、アセンブリ１８４はサイドバイサイド構成であるか、スタック構成である。さらに、アセンブリ１８４はＲＪ−４５出力（デジタル入力／出力アセンブリ１１４）と同じパネルに配置され、１／４インチ出力アセンブリ１８６（図２１Ｃを参照）はギター内に隠されたギターの側部、ギターの上部に配置できるので、ソフトバネで反転され又はストラップシャフトに配置できる。
【０１１９】
ＲＪ−４５出力ポート１３０がＭａＧＩＣネットワークに接続されると、電力がギター１２のアクティブおよびデジタルエレクトロニクスに加えられ、へクサピックアップ１２２、従来の１／４インチ出力１８６、およびマイクロホン入力２３０からのアナログ信号が全てデジタル化され、ＭａＧＩＣ接続ケーブル１０４に送られる。ギター１２がＭａＧＩＣネットワークに接続されるかどうかにかかわらず、１／４インチ出力１８６は従来の方法で動作する。
【０１２０】
図１７および図１８はデジタルギター処理回路１１２、特に、ギター処理回路のデジタルセクション１１３の一つの特定の実施例を示す。図１７に示すように、デジタルセクション１１３はＴ２チップ１８８、Ｉ２ＳＥｎｇｉｎｅ  ａｎｄ  Ｓｙｎｃ１９０、クロック１９２、マグネチクス１９４、ブートＲＯＭ１９６、ハムバッカボリューム／トーンコントロール１８２により発生したアナログ制御信号をデジタル制御信号に変換するアナログ／デジタル変換器１９８、ＲＪ−４５コネクタ用のヘッダー２００、およびパワーコンディショニング回路２０２を含む。図１８はＩ２Ｓ  Ｅｎｇｉｎｅ  ａｎｄ  Ｓｙｎｃ１９０がフィールドプログラマブルゲートアレイ（ＦＰＧＡ）２０４、バッファ２０６、位相ロックドループ２０８、および１６ビットカウンタ２１０を使用して実施される１つの特定の実施を示す。前述のように、これらのコンポーネントの動作の詳細な説明はＭａＧＩＣ工業規格および米国特許‘１６９で求められる。要するに、しかしながら、これらのコンポーネントがデジタルギター処理回路１１２により発生したデジタルオーディオおよび制御信号をフォーマット化し且つ出力するのに関与することに留意することで足りる。これらのコンポーネントにより実施される機能がさらに他の型の論理回路を使用して実施可能であることを留意すべきである。
【０１２１】
Ｔ２モジュール１１２は単一ＭａＧＩＣＯＵＴポート装置であり、従って当然同期スレーブ装置である。このモジュールはＭａＧＩＣコンプライアンスを保証するため８０２．３ａｆオーバイーサネット（登録商標）電力により給電され、８出力チャンネルを供給し、Ｉ２Ｓフォーマットオーディオの２入力チャンネルに対応する。モジュールは独自のプログラマブルＭａＧＩＣアドレスを含み、異なる用途および製造メーカのためのプログラマブルパラメータを蓄積できる。
【０１２２】
デジタルギターが既存のギター装置と互換可能であることを保証するため、本発明はデジタルギターにより出力されるデジタルオーディオ信号を種々の型の従来ギター装置と互換可能であるアナログオーディオ信号に変換するように適合される（レガシーボックス１０２と称される）デジタルギターインターフェース装置１０２を含む。換言すると、デジタルギターインターフェース装置１０２はＭａＧＩＣ互換可能装置を従来のアナログ装置に接続するために使用できる単純な変換器ボックスである。デジタルギターインターフェース装置１０２はＭａＧＩＣギター１２に使用されるＴ２モジュール（又はデジタルギター処理回路）１１２の変形であるＴ２モジュールである単一回路ボードである。
【０１２３】
図１９および図２２Ａに注目すると、デジタルギターインターフェース装置１０２はハウジング２１２、インターフェース装置デジタル入力／出力アセンブリ２１４、インターフェース装置デアナログ入力／出力アセンブリ２１６、およびインターフェース装置処理回路２１８を含む。ハウジング２１２は電力がインターフェース装置に供給され、オーディオ信号がインターフェース装置の入力および出力に存在する場合を示す表示ランプを含む。ハウジング２１２は種々の入力および出力アセンブリを支持する。電源は“ラインランプ”型スイッチ電源を使用してブレイクアウトボックス１１４に供給され、ＤＣ型プラグ２１５を使用してユニットに入る。プラグは他の相手先商標製品メーカ（ＯＥＭ）ＡＣアダプタを接続することによりユニットの不足電力を回避するため標準ＡＣアダプタより小さくすべきである。供給される電力は直流４８ボルト以上であるか同等であり、０．４０アンペア以上か同等である。デジタルギターインターフェース装置１０２の変形実施例は図２２Ｂに示される。
【０１２４】
インターフェース装置デジタル入力／出力アセンブリ２１４はデジタル合成弦、マイクロホン、および制御信号を受信し、ＣＤプレヤーのような外部オーディオ装置から１対のデジタルオーディオ信号をデジタルギター１２へ出力するように適合される。インターフェース装置アナログ入力／出力アセンブリ２１６は６個のアナログ合成弦信号、ギター制御アセンブリ１１８を使用して選択されたアナログハムバッカ弦信号の１つ、およびアナログマイクロホン信号を出力するように適合される。インターフェース装置アナログ入力／出力アセンブリ２１４はさらに外部オーディオ装置、例えば、ＣＤプレヤーからの１対のアナログオーディオ信号を受信するように適合され、インターフェース装置処理回路２１８はこれらのアナログ信号をデジタルギター１２に伝送されるデジタルオーディオ信号対に変換するように適合される。
【０１２５】
図２０を参照すると、インターフェース装置処理回路２１８はデジタルギター処理回路１１２に類似しており、受信されたデジタル信号をアナログ信号に変換し、受信されたアナログ信号をデジタル信号に変換するように適合される。インターフェース装置処理回路２１８はインターフェース装置デジタル通信回路２２０、インターフェース装置アナログ／デジタル変換器回路２２２、インターフェース装置前置増幅器回路２２４、インターフェース装置フィルタリング回路２２６、およびインターフェース装置マルチプレクサ回路２２８を含む。
【０１２６】
インターフェース装置デジタル通信回路２２０はデジタルギターにより発生したデジタル混合弦およびマイクロホン信号を受信し、アナログ信号に変換のためのインターフェースアナログ／デジタル変換器回路２２２に信号を通すように実施可能である。通信回路２２０はデジタルギターにより出力されたデジタル制御信号を受信するが、これらの信号をアナログ信号に変換するための変換器回路２２２に通過させない。その代わり、通信回路２２０はインターフェース装置１０２のアナログ出力を制御するためこれらの信号を使用する。ギターデジタル通信回路１１６２の場合のように、インターフェース装置のデジタル通信回路２２０は双方向オーディオインターフェース１７２、双方向制御インターフェース１７４、およびイーサネット（登録商標）インターフェース１７６（図１２参照）を含む。便宜上、両回路は１つの図で示された。しかしながら、実際には、これらの回路は物理的に２つの異なる装置、即ち、デジタルギター１２とインターフェース装置１０２に配置される。従来どおり、双方向オーディオインターフェース１７２はデジタル合成弦およびマイクロホン信号のようなデジタルオーディオ信号を送受信するように適合され、双方向制御インターフェース１７４はデジタル制御信号を送受信するように適合される。イーサネット（登録商標）インターフェース１７６はデジタル通信回路が前述のＭａＧＩＣデジタル通信システムの一部を形成するイーサネット（登録商標）物理層と接続するのを可能にするように適合される。
【０１２７】
インターフェース装置アナログ／デジタル変換器回路２２２はデジタルハムバッカ弦信号、デジタルマイクロホン信号、および各弦のデジタル合成弦信号をアナログ弦信号に変換する。これにより６個のアナログ合成弦信号、１個のアナログハムバッカ弦信号、および１個のアナログマイクロホン信号を発生する。アナログ／デジタル変換器回路２２２はさらにアナログ外部オーディオ信号をデジタルギター１２に送信されるデジタル外部オーディオ信号に変換するように実施可能である。
【０１２８】
インターフェース装置前置増幅器回路２２４はインターフェース装置アナログ／デジタル変換器回路２２２により発生したアナログ合成弦、ハムバッカ弦、およびマイクロホン信号を増幅するように適合される。前置増幅器回路２２４はインターフェース装置アナログ／デジタル変換器装置２２２によりデジタル信号に変換前のアナログ外部装置オーディオ信号を増幅するように適合される。インターフェース装置フィルタリング回路２２６は出力する前にデジタル／アナログ変換処理中に発生されるアナログ合成弦、ハムバッカ弦、およびマイクロホン信号内の好ましくない周波数を除去すように適合される。インターフェース装置マルチプレクサ２２８はそれぞれ単一６弦合成信号に合成され、且つ低３弦信号を含む単一アナログ弦合成信号に合成された合成アナログ弦信号を出力するように適合される。
【０１２９】
図２３を参照すると、ブレイクアウトボックス１０２の片側に１０個の  １／４インチチップリングスリーブ（ＴＲＳ）コネクタがある。これらの内８個のコネクタ２３４、２３６、２３８、２４０、２４２、２４４、２４６、および２４８の各々は出力部であり、２個は入力部２５０および２５２である。ブレイクアウトボックス１０２をＭａＧＩＣ互換可能な装置に接続するために使用されるＲＪ−４５入力コネクタ２１６（図２２Ａ）がある。変形実施例において、ブレイクアウトボックス１０２が電力供給されると、電源オンを示すためその上部パネルを点灯する。ユニットがＭａＧＩＣ出力ポートに接続されると、正のＭａＧＩＣリンクが確立されたことをユーザにフィードバックする。
【０１３０】
クラシック出力又はハムバッカ出力２４６およびマイクロホン２４８はギター１２上のハムバッカ１２０とマイクロホンから常に独立された出力である。換言すると、クラシック出力２４６は単にデジタル信号に変換され、ＭａＧＩＣデータリンクを通過し、およびアナログ信号に変換された（ピックアップセレクタスイッチ１７８により決定されるような）ハムバッカ１２０の１つの出力である。マイクロホン出力２４８も同様な方法で処理される。へクスピックアップ出力部２３４−２４４は異なる方法で動作する。単一の１／４インチコネクタが＃１（Ｓｕｍ）出力２３４に接続されると、全ての６本の弦がフィルタ処理され、合計され、且つ＃１出力部２３４から出力される。出力２３４と＃２（３−６）出力部２３６が１／４インチコネクタに接続されると、全ての６本の弦の和がフ出力部２３４から出力され、且つ最低の３弦の和が出力部２３６から出力される。どちらのモードにおいても、出力部２４０、２４２、および２４４、すなわち、出力部４、５および６はそれぞれ直接各弦を出力する。１／４コネクタは出力部＃３，２３８に接続されると、出力部は各弦から個別的であり、即ち、フィルタ処理されるが加算されない。図２４はブレイクアウトボックス１０２の４個の異なる可能な出力構成を示す。
【０１３１】
上記の参照された全てのフィルタリング処理が（デジタルフィルタリング処理が同様に使用できるが）アナログ領域で行われる。へクスピックアップ１２２により獲得された音がＸ軸およびＹ軸で未加工の弦刺激であるので、このフィルタリング処理は要求される。これは平坦で完全なサウンド内容を提供するが、音は従来の電気ギター音に似ていない。
【０１３２】
ブレイクアウトボックス１０２の目的は従来の増幅装置に接続することであるので、音色は標準ハムバッカピックアップ以上に純粋である心地よい音色を提供するように形成される。ブレイクアウトボックス１０２のユーザは所望の音色を提供するため標準ハムバッカ、加算へクス、個別の弦、又は信号の合成を出力するように選択できる。
【０１３３】
もしブレイクアウトボックス１０２の出力がどれも１／４インチコネクタに接続されないのと、加算出力はギター１２のヘッドホン出力２３２に対するＭａＧＩＣケーブル１０４をバックアップするようにループ化される。ブレイクアウトボックス１０２のユーザはＣＤプレヤーをブレイクアウトボックス１０２の入力部２５０と２５２に接続すること、およびヘッドホンミックスで待機することを選択できる。
【０１３４】
ブレイクアウトボックス１０２は以下のプログラムされたＭａＧＩＣコンポーネントを含む。
2006520917.tif 000003
【０１３５】
図２５および図２６は前述のインターフェース装置処理回路２１８（又はＴ２モジュール）の１つの特定の実施例を示す。処理回路２１８はアナログセクション２５４とデジタルセクション２５６を含む。図２５に示られるように、アナログセクション２５４は２チャンネルアナログ／デジタル変換器含む図２５のＣＯＤＥＣチップであるインターフェース装置アナログ／デジタル変換器回路２２２、８チャンネルデジタル／アナログ変換器、一連の出力増幅器２５８、一連の出力フィルタ２２６（即ち、インターフェース装置フィルタリング回路２２６）、マルチプレクサ回路２２８、および２つの入力増幅器２６０を含む。出力増幅器２５８と入力増幅器２６０は集合的にインターフェース装置前置増幅器回路２２４を形成する。ＣＯＤＥＣ２２２の入力部は入力増幅器２６０の出力部に接続される。ＣＯＤＥＣ２２２の出力部は出力増幅器２５８に接続され、出力増幅器２５８の出力部は出力フィルタ２２６に接続される。マルチプレックス制御はＴＲＳ１／４インチ入力部および出力部で切り替えられた正常化により提供される。一実施例において、ＣＯＤＥＣチップはＡＫ４５２９チップである。
【０１３６】
デジタルセクション２５６は、図２６に示されるように接続された、Ｉ２ｓ  Ｅｎｇｉｎｅ  ａｎｄ  Ｓｙｎｃ２６０、クロック２６２、電力条件化回路２６４、８０２．３ａｆ電力制御器２６６、Ｔ２チップ２６８、ブートＲＯＭ２７０、変成器２７２、およびＲＪ−４５入力ポート２１６を含む。これらのコンポーネントはデジタルギター１２と通信し、且つ受信デジタルオーディオを送信し、デジタルギター１２空のデータを制御するように実施可能である。これらのコンポーネントの動作は上記に参照されたＭａＧＩＣ工業規格および特許に記載されており、ここでは繰り返さない。
【０１３７】
電力は４８ボルト電源により供給され、８０２．３ａｆパワーオーバイーサネット（登録商標）規格に準拠して＋１２ボルト直流電圧、＋５ボルト直流電圧、＋３．３ボルト直流電圧、＋２．５ボルト直流電圧、−１２ボルト直流電圧、および＋４８ボルト直流電圧に調整される。
【０１３８】
図１４および図１５を参照すると（図２８も参照）、従来の信号はピックアップ１２０からギター１２内のＴ２モジュール１１２に配置されたＴ２チップへ、且つピックアップ１２０から音量／音色ノブ１８２に流れ、ピックアップセレクタスイッチ１７８へ出力され、ノブ１８２とフィルターキャップ（図示せず）に戻り、従来１／４インチ出力ジャック１８６に流れる。へクサピックアップ１２２は全てのコイルを差動対（図１６）のＴ２モジュール１１２に直接出力する。
【０１３９】
図２８を参照すると、従来の電気ギターコンポーネントの受動制御システムの一実施例はＴ２モジュール１１２と共に示される。このボードは生データをＡ／Ｄサンプリングノブ位置から取り込み、それをＭａＧＩＣ制御データに翻訳する。このボードは必要であれば他の制御エレメントを追加するように拡張可能である。異なるボードが異なるギターに要求されるので、各制御はシリーズデータをＭａＧＩＣ制御情報に翻訳するＭａＧＩＣチップを含むデジタルボードに共通のインターフェースを規定し提供しなければならない。
【０１４０】
Ｔ２ボード（例えば、モジュール）１１２は‘Ａ’ポート装置である。このモジュールは常にｓｙｎｃ（同期）スレーブである。モジュールは８０２．３ａｆパワーオーバーイーサネット（登録商標）で電力供給される。Ｔ２モジュール１１２はＩ２Ｓフォーマットにビットバングドされたオーディオの２チャンネルアウトおよび８チャンネルインを供給する。このモジュールはデータＡＤサンプリングノブ位置からの生データを取り込み、ＭａＧＩＣ制御データに翻訳する。一実施例において、Ｔ２モジュールは１１２は単一ボードであるが、必要であれば、マルチボードに分離してもよい。デジタルギターでの物理サブアセンブリの一実施例は図２７に示される。
【０１４１】
一実施例において、Ｔ２モジュール１１２は各々４チャンネルのオーディオ用アナログ／デジタル変換器である２ＡＫ５３８４チップ、アナログ／デジタルＭ６２３３４、ギターノブに接続された三菱製４チャンネルマルチプレクサ（ｍｕｘ）チップ、およびヘッドホン出力用のＡＫ４３８０デジタル／アナログチップを含む。
【０１４２】
ギター１２は以下のプログラムされたＭａＧＩＣコンポーネントを含む。
2006520917.tif 000004
2006520917.tif 000005
【０１４３】
ＭａＧＩＣコンポーネントアドレス、デバイスクラス。およびデフォルト制御リンクは必要に応じて決定され、割当できる。
【０１４４】
信頼性を増すため、強固なＮｅｕｔｒｉｃ  ＥｔｈｅｒＣｏｎ  シリーズコネクタが使用できる。このシリーズの雄ケーブルキャリアと雌リセプタクルはセキュアラッチ機構を有する強固なダイカストシェルを含んでいる。これらの装置は予め組み込まれたＲＪ−４５プラグである。
2006520917.tif 000006
【０１４５】
既存のハードスリーブネットワークケーブルはライブのオーディオ環境で普通に受ける繰り返しのねじれ、、曲げ、および機械的ストレスに耐えるほど強固ではない。結果として、繰り返しの機械的ストレスに耐えるほど信頼でき、高電圧電流ケーブルに対して適切なシールドを提供できるカスタムソフトウエアケーブルが強く推奨される。永久的な設置を除く全ての環境では機械的ストレス下で信頼性を更に増加させるためソリッドワイヤケーブルの代わりに拠り線を使用すべきである。
【０１４６】
本発明は従来のアナログギターをデジタルギターに変換するために使用できる改良された方法を含む。この方法は従来のアナログギターから従来のアナログ出力アセンブリを除去し、従来のアナログギター内にデジタルギター処理回路１１２を挿入し搭載し、デジタルギター処理回路１１２を従来のアナログギターに搭載されたギターピックアップアセンブリ１１０とデジタル入出力アセンブリ１１４に接続し、従来のアナログギター上にデジタル入出力アセンブリ１１４を搭載する（任意の順番での）工程を含む。
【０１４７】
変形例において、改良方法は既存のアナログ出力アセンブリを適所に残し、デジタルギター処理回路１１２を従来のアナログギター内に搭載し、デジタルギター処理回路１１２を従来のアナログギター上に搭載されたギターピックアップアセンブリ１１０とデジタル入出力アセンブリ１１４に接続し、且つ従来のアナログギター上にデジタル入出力アセンブリ１１４を搭載することにより新規な特徴を加えている。
【０１４８】
このように、本発明の装置および方法はここで固有な目的と利点と同様に言及された目的および利点を容易に達成できることが理解される。本発明のある好ましい実施例は本発明の開示のため示され且つ説明されたが、構成および工程において多くの変更が当業者により実施出来るが、変更は添付の特許請求の範囲の範囲および精神内に包含される。
【図面の簡単な説明】
【０１４９】
【図１】図１は楽器装置を種々の制御装置と相互接続する典型的な構成を示す本発明のシステムのブロック図である。
【図２】図２はオンステージ演奏オーディオ環境での装置の物理的実施および相互接続を示す本発明のシステムの実施例の概略図である。
【図３】図３は本発明のシステムで使用できる音楽編集制御装置の前面斜視図である。
【図４】図４は本発明のデジタルギターとインターフェース装置を示すブロック図である。
【図５】図５はデジタルギターに含まれる種々のコンポーネントを示すブロック図である。
【図６】図６は従来のアナログ増幅器およびスピーカコンポーネントで使用するためのブレイクアウトボックスを有するデジタルギターを概略的に示す。
【図７】図７は本発明の新規なマルチ信号ヘクサホニックギターピックアップの斜視図である。
【図８】図８は本発明の新規なギター弦ピックアップサブアセンブリの１つの前面図である。
【図９】図９は本発明のデジタルギター処理回路のブロック図である。
【図１０】図１０はデジタルギター処理回路に含まれる混合回路の一実施例を示すブロック図である。
【図１１】図１１はデジタルギター処理回路に含まれる混合回路の第２実施例を示すブロック図である。
【図１２】図１２はデジタルギター処理回路に含まれるギターデジタル通信回路の一実施例を示すブロック図である。
【図１３】図１３はデジタルギター処理回路のアナログおよびデジタルセクションの一実施例を示すブロック図である。
【図１４】図１４は本発明のギター制御アセンブリを示すブロック図である。
【図１５】図１５は本発明のデジタルギターの一実施例を概略的に示す。
【図１６】図１６はデジタルギターＴ２ボードのアナログセクションのプリアンプセクションのブロック図である。
【図１７】図１７図はデジタルギター内のＴ２ボードのデジタルセクションのブロック図である。
【図１８】図１８はフィールドプログラマブルゲートアレイを使用するＴ２ボードのＩ２Ｓ  Ｅｎｇｉｎｅ  ａｎｄ  Ｓｙｎｃ部のＩ２Ｓの一実施を示すブロック図である。
【図１９】図１９は本発明のデジタルギターインターフェース装置を示すブロック図である。
【図２０】図２０はインターフェース装置処理回路の一実施例を示すブロック図である。
【図２１】図２１Ａおよび図２１Ｂはデジタルギター上のヘッドホーンとマイクロホン接続の２つの変形構成を示す図であり、図２１Ｃはデジタルギター上のヘッドホーン、マイクロホン、およびＭａＧＩＣ接続の変形構成を示す図である。
【図２２】図２２Ａおよび図２２Ｂはブレイクアウトボックスの２つの変形構成を示す図である。
【図２３】図２３はブレイクアウトボックスに対する接続部の詳細を示す。
【図２４】図２４はブレイクアウトボックスに装置を接続するための４つの変形構成を概略的に示す。
【図２５】図２５はブレイクアウトボックス内のＴ２モジュールのアナログセクションの概略図である。
【図２６】図２６はブレイクボックス内のＴ２モジュールのデジタルセクションの概略図である。
【図２７】図２７は制御ノブおよびＴ２ボードの内部構成の断面概略図である。
【図２８】図２８はデジタルギター上のハムバッカーピックアップ用の音量音質制御装置およびデジタルギター内のＴ２ボードに対するこれらの制御装置の接続を示す受動レガシーシステムおよび制御セクションのブロック図である。
【図２９】図２９は本発明のプリアンプおよび混合回路の一実施例を示す概略図である。
【図２９Ａ】図２９Ａは本発明のプリアンプおよび混合回路の一実施例を示す概略図である。
【図２９Ｂ】図２９Ｂは本発明のプリアンプおよび混合回路の一実施例を示す概略図である。
【図２９Ｃ】図２９Ｃは本発明のプリアンプおよび混合回路の一実施例を示す概略図である。
【図２９Ｄ】図２９Ｄは本発明のプリアンプおよび混合回路の一実施例を示す概略図である。
【図２９Ｅ】図２９Ｅは本発明のプリアンプおよび混合回路の一実施例を示す概略図である。
【図３０】図３０は本発明のプリアンプおよび混合回路の一実施例を示す概略図である。
【図３０Ａ】図３０Ａは本発明のプリアンプおよび混合回路の一実施例を示す概略図である。
【図３０Ｂ】図３０Ｂは本発明のプリアンプおよび混合回路の一実施例を示す概略図である。
【図３１】図３１は本発明のプリアンプおよび混合回路の一実施例を示す概略図である。
【図３１Ａ】図３１Ａは本発明のプリアンプおよび混合回路の一実施例を示す概略図である。
【図３１Ｂ】図３１Ｂは本発明のプリアンプおよび混合回路の一実施例を示す概略図である。
【図３１Ｃ】図３１Ｃは本発明のプリアンプおよび混合回路の一実施例を示す概略図である。
【図３１Ｄ】図３１Ｄは本発明のプリアンプおよび混合回路の一実施例を示す概略図である。
【図３２】図３２は本発明のプリアンプおよび混合回路の一実施例を示す概略図である。
【図３２Ａ】図３２Ａは本発明のプリアンプおよび混合回路の一実施例を示す概略図である。
【図３２Ｂ】図３２Ｂは本発明のプリアンプおよび混合回路の一実施例を示す概略図である。
【図３２Ｃ】図３２Ｃは本発明のプリアンプおよび混合回路の一実施例を示す概略図である。
【図３２Ｄ】図３２Ｄは本発明のプリアンプおよび混合回路の一実施例を示す概略図である。
【図３３】図３３は本発明のプリアンプおよび混合回路の一実施例を示す概略図である。
【図３３Ａ】図３３Ａは本発明のプリアンプおよび混合回路の一実施例を示す概略図である。
【図３３Ｂ】図３３Ｂは本発明のプリアンプおよび混合回路の一実施例を示す概略図である。
【図３３Ｃ】図３３Ｃは本発明のプリアンプおよび混合回路の一実施例を示す概略図である。
【図３３Ｄ】図３３Ｄは本発明のプリアンプおよび混合回路の一実施例を示す概略図である。
【図３４】図３４は本発明のプリアンプおよび混合回路の一実施例を示す概略図である。
【図３４Ａ】図３４Ａは本発明のプリアンプおよび混合回路の一実施例を示す概略図である。
【図３４Ｂ】図３４Ｂは本発明のプリアンプおよび混合回路の一実施例を示す概略図である。
【図３４Ｃ】図３４Ｃは本発明のプリアンプおよび混合回路の一実施例を示す概略図である。
【図３５】図３５は本発明のプリアンプおよび混合回路の一実施例を示す概略図である。
【図３５Ａ】図３５Ａは本発明のプリアンプおよび混合回路の一実施例を示す概略図である。
【図３５Ｂ】図３５Ｂは本発明のプリアンプおよび混合回路の一実施例を示す概略図である。
【図３５Ｃ】図３５Ｃは本発明のプリアンプおよび混合回路の一実施例を示す概略図である。
【図３５Ｄ】図３５Ｄは本発明のプリアンプおよび混合回路の一実施例を示す概略図である。
【図３６】図３６は本発明のプリアンプおよび混合回路の一実施例を示す概略図である。
【図３６Ａ】図３６Ａは本発明のプリアンプおよび混合回路の一実施例を示す概略図である。
【図３６Ｂ】図３６Ｂは本発明のプリアンプおよび混合回路の一実施例を示す概略図である。
【図３６Ｃ】図３６Ｃは本発明のプリアンプおよび混合回路の一実施例を示す概略図である。
【図３６Ｄ】図３６Ｄは本発明のプリアンプおよび混合回路の一実施例を示す概略図である。
【符号の説明】
【０１５０】
１１    ＭａＧＩＣＲＪ−４５ケーブル
１２    デジタルギター
１３    増幅器
１５    ペダルボード
１６    ＵＳＢケーブル
１７    ラップトップ
１８    スピーカ
１９    パワーハブ
２２    制御ボード
２８    ハブ
１００    デジタルギター装置
１０２    デジタルギターインターフェース装置
１０４    ＭａＧＩＣ接続ケーブル
１０６    ギター本体
１０８    ギター弦
１１０    ギターピックアップアセンブリ
１１２    デジタルギター処理回路
１１４    ギターデジタル入力／出力アセンブリ
１１６    ギターアナログ入力／出力アセンブリ
１１８    ギター制御アセンブリ
１２０    ハムバッカギターピックアップ
１２２    マルチ信号へクサホニックギターピックアップ
【図１】
2006520917.tif 000007
【図２】
2006520917.tif 000008
【図３】
2006520917.tif 000009
【図４】
2006520917.tif 000010
【図５】
2006520917.tif 000011
【図６】
2006520917.tif 000012
【図７】
2006520917.tif 000013
【図８】
2006520917.tif 000014
【図９】
2006520917.tif 000015
【図１０】
2006520917.tif 000016
【図１１】
2006520917.tif 000017
【図１２】
2006520917.tif 000018
【図１３】
2006520917.tif 000019
【図１４】
2006520917.tif 000020
【図１５】
2006520917.tif 000021
【図１６】
2006520917.tif 000022
【図１７】
2006520917.tif 000023
【図１８】
2006520917.tif 000024
【図１９】
2006520917.tif 000025
【図２０】
2006520917.tif 000026
【図２１】
2006520917.tif 000027
【図２２】
2006520917.tif 000028
【図２３】
2006520917.tif 000029
【図２４】
2006520917.tif 000030
【図２５】
2006520917.tif 000031
【図２６】
2006520917.tif 000032
【図２７】
2006520917.tif 000033
【図２８】
2006520917.tif 000034
【図２９】
2006520917.tif 000035
【図２９Ａ】
2006520917.tif 000036
【図２９Ｂ】
2006520917.tif 000037
【図２９Ｃ】
2006520917.tif 000038
【図２９Ｄ】
2006520917.tif 000039
【図２９Ｅ】
2006520917.tif 000040
【図３０】
2006520917.tif 000041
【図３０Ａ】
2006520917.tif 000042
【図３０Ｂ】
2006520917.tif 000043
【図３１】
2006520917.tif 000044
【図３１Ａ】
2006520917.tif 000045
【図３１Ｂ】
2006520917.tif 000046
【図３１Ｃ】
2006520917.tif 000047
【図３１Ｄ】
2006520917.tif 000048
【図３２】
2006520917.tif 000049
【図３２Ａ】
2006520917.tif 000050
【図３２Ｂ】
2006520917.tif 000051
【図３２Ｃ】
2006520917.tif 000052
【図３２Ｄ】
2006520917.tif 000053
【図３３】
2006520917.tif 000054
【図３３Ａ】
2006520917.tif 000055
【図３３Ｂ】
2006520917.tif 000056
【図３３Ｃ】
2006520917.tif 000057
【図３３Ｄ】
2006520917.tif 000058
【図３４】
2006520917.tif 000059
【図３４Ａ】
2006520917.tif 000060
【図３４Ｂ】
2006520917.tif 000061
【図３４Ｃ】
2006520917.tif 000062
【図３５】
2006520917.tif 000063
【図３５Ａ】
2006520917.tif 000064
【図３５Ｂ】
2006520917.tif 000065
【図３５Ｃ】
2006520917.tif 000066
【図３５Ｄ】
2006520917.tif 000067
【図３６】
2006520917.tif 000068
【図３６Ａ】
2006520917.tif 000069
【図３６Ｂ】
2006520917.tif 000070
【図３６Ｃ】
2006520917.tif 000071
【図３６Ｄ】
2006520917.tif 000072
【手続補正書】
【提出日】平成17年7月8日(2005.7.8)
【手続補正１】
【補正対象書類名】特許請求の範囲
【補正対象項目名】全文
【補正方法】変更
【補正の内容】
【特許請求の範囲】
【請求項１】
ギター弦が弾かれるとギターに搭載されたギター弦の弦振動を示す所定数のアナログ弦信号を受信するように、且つ、前記アナログ弦信号に基いて所定数のデジタル弦信号を発生するように適合されたギター変換器回路と；
前記ギター変換器回路と通信するギターフォーマット回路であり、所定数のデジタル通信プロトコルと互換可能な前記ギター変換器回路により発生した前記デジタル弦信号をフォーマット化し且つ前記フォーマット化されたデジタル弦信号を出力するように適合されたギターフォーマット回路と；
を具備することを特徴とするギター処理回路。
【請求項２】
前記ギターフォーマット回路がＭａＧＩＣデジタル通信プロトコルと互換可能である前記デジタル弦信号をフォーマット化するように適合されることを特徴とする請求項１記載のギター処理回路。
【請求項３】
前記ギター変換器回路がさらに所定数の外部アナログ信号を受信し且つ前記外部アナログ信号に基いて所定数の外部デジタル信号を発生するように適合され、且つ前記ギターフォーマット回路がさらに前記所定数のデジタル通信プロトコルと互換可能な前記外部デジタル信号をフォーマット化し且つ前記フォーマット化された外部デジタル信号を出力するように適合されることを特徴とする請求項１記載のギター処理回路。
【請求項４】
前記ギター変換器回路がさらに所定数のアナログ制御信号を受信し且つ前記アナログ制御信号に基いて所定数のデジタル制御信号を発生するように適合され、且つ前記ギターフォーマット回路がさらに前記所定数のデジタル通信プロトコルと互換可能な前記デジタル信号をフォーマット化し且つ前記フォーマット化されたデジタル制御信号を出力するように適合されることを特徴とする請求項１記載のギター処理回路。
【請求項５】
前記ギター変換器回路は１本又はそれ以上のギター弦が弾かれると単一のアナログ弦信号を受信し且つ前記単一アナログ弦信号を単一デジタル弦信号に変換するように適合され、且つ前記ギターフォーマット回路は前記所定数のデジタル通信プロトコルと互換可能な前記単一デジタル弦信号をフォーマット化し且つ前記単一デジタル信号を出力するように適合されることを特徴とする請求項１記載のギター処理回路。
【請求項６】
前記ギター変換器回路は弾かれた各ギター弦の個別アナログ弦信号を受信し且つ前記個別アナログ弦信号を個別デジタル弦信号に変換するように適合され、且つ前記ギターフォーマット回路は前記所定数のデジタル通信プロトコルと互換可能な前記個別デジタル弦信号をフォーマット化し且つ前記個別デジタル弦信号を出力するように適合されることを特徴とする請求項１記載のギター処理回路。
【請求項７】
前記ギター変換器回路は弾かれた各ギター弦の個別アナログ弦信号を受信し、所定数の処理されたアナログ弦信号を発生するため前記個別アナログ弦信号を処理し、且つ前記処理されたアナログ弦信号を処理済デジタル弦信号に変換するように適合され、且つ前記ギターフォーマット回路は前記所定数のデジタル通信プロトコルを互換可能な前記処理デジタル弦信号をフォーマット化し且つ前記処理されたデジタル弦信号を出力するように適合されることを特徴とする請求項１記載のギター処理回路。
【請求項８】
前記ギター変換器回路は弾かれた各ギター弦の個別アナログ弦信号を受信し、所定数の合成アナログ弦信号を発生するため２つ又はそれ以上の個別アナログ弦信号を合成し、前記合成されたアナログ弦信号を合成デジタル弦信号に変換するように適合され、且つ、前記ギターフォーマット回路は前記所定数のデジタル通信プロトコルと互換可能な前記合成されたデジタル弦信号をフォーマット化し、前記合成されたデジタル弦信号を出力するように適合されることを特徴とする請求項１記載のギター処理回路。
【請求項９】
前記ギター変換器回路は弾かれた各ギター弦の２つ又はそれ以上の個別アナログ弦信号を受信し、各ギター弦の前記個別アナログ弦信号を各ギター弦の個別デジタル弦信号に変換するように適合され、且つ前記ギターフォーマット回路は前記所定数のデジタル通信プロトコルと互換可能な前記個別デジタル弦信号をフォーマット化し、各ギター弦の前記個別デジタル弦信号を出力するように適合されることを特徴とする請求項１記載のギター処理回路。
【請求項１０】
前記ギター変換器回路は弾かれた各ギター弦の２つ又はそれ以上の個別アナログ弦信号を受信し、各ギター弦の前記個別アナログ弦信号を各ギター弦の単一合成デジタル弦信号に変換するように適合され、前記ギターフォーマット回路は前記所定数のデジタル通信プロトコルと互換可能な各弦の前記単一合成デジタル弦信号をフォーマット化し、各ギター弦の前記単一合成デジタル弦信号を出力するように適合されることを特徴とする請求項１記載のギター処理回路。
【請求項１１】
ギター本体と；
前記ギター本体に搭載されたギター弦と；
前記ギター弦の近傍の前記ギター本体に搭載されたギターピックアップアセンブリと；
前記ギターピックアップアセンブリに接続されたデジタルギター処理回路であり、前記ギターピックアップアセンブリと前記ギターデジタル出力アセンブリに接続されたギターアナログ／デジタル変換器回路と、前記ギターアナログ／デジタル変換器回路と前記ギターデジタル出力アセンブリ間に接続されたギターデジタル通信回路を含むデジタルギター処理回路と；
前記デジタルギター処理回路に接続されたギターデジタル出力アセンブリと；
を具備することを特徴とするデジタルギター。
【請求項１２】
前記ギターピックアップアセンブリがヘクサホニックマルチ信号ギターピックアップを含むことを特徴とする請求項１１記載のデジタルギター。
【請求項１３】
前記ギターピックアップアセンブリがモノホニックおよびマルチ信号ギターピックアップを含むことを特徴とする請求項１１記載のデジタルギター。
【請求項１４】
前記デジタルギター処理回路が前記ギターアナログ／デジタル変換器回路と前記ギターピックアップアセンブリ間に接続されたギター混合回路を含むことを特徴とする請求項１１記載のデジタルギター。
【請求項１５】
前記ギター混合回路が共に前記ギターピックアップアセンブリに接続された加算回路と減算回路と、前記加算回路と前記減算回路と前記ギターアナログ／デジタル変換器回路に接続された合成回路を含むことを特徴とする請求項１４記載のデジタルギター。
【請求項１６】
前記デジタルギター処理回路が前記ギター混合回路と前記ギターピックアップアセンブリ間に接続されたギター増幅器回路を含むことを特徴とする請求項１４記載のデジタルギター。
【請求項１７】
前記ギターデジタル通信回路が双方向オーディオインターフェースと双方向制御インターフェースを含む双方向インターフェース回路を含むことを特徴とする請求項１１記載のデジタルギター。
【請求項１８】
ギター本体と；
前記ギター本体に搭載された複数のギター弦と；
前記弦の下部の前記本体上に搭載され、前記弦の振動に相当する少なくとも１つのアナログ電気弦信号を発生するピックアップと；
前記ギター上に搭載され且つ前記ピックアップで実施可能に付随され、前記アナログ電気弦信号をデジタル電気弦信号に変換するためのアナログ／デジタル変換器回路と；
前記ギター上に搭載され、前記デジタル電気弦信号を出力するためのデジタル出力コネクターと；
前記ギター上に搭載され、前記アナログ電気弦信号を出力するためのアナログ出力コネクターと；
前記アナログ／デジタル変換器回路と動作可能に付随する音量制御および音色制御装置と；
を具備し、前記ギターにより出力された前記アナログおよびデジタル電気弦信号が前記音量制御および音色制御装置により変更されることを特徴とするギター。
【請求項１９】
前記ピックアップが各弦の少なくとも１つのアナログ電気弦信号を発生する第１ピックアップであり、
前記ギターがさらに、
すべての弦の振動に相当する１つの混合アナログ弦信号を発生する第２ピックアップと；
前記ギター上に搭載され、前記混合アナログ弦信号を出力するためのアナログ出力コネクタと；
をさらに具備することを特徴とする請求項１８記載のギター。
【請求項２０】
ギター弦が弾かれると、前記ギター上に配置されたギター弦の弦振動を示す所定数のアナログ弦信号を発生するように適合されたオーディオトランスデューサアセンブリと；
前記オーディオトランスデューサアセンブリと通信し、前記アナログ弦信号に基いて所定数のデジタル弦信号を発生し、所定数のデジタル通信プロトコルと互換する前記処理回路により発生する前記デジタル弦信号をフォーマット化するように適合されるギター処理回路と；
前記ギター処理回路と通信し、前記ギター処理回路により発生した前記デジタル弦信号を出力するように適合されたギター出力アセンブリと；
を具備することを特徴とするギター。
【請求項２１】
処理のための前記ギター処理回路に対する所定数の外部アナログ信号を受信し且つ送信するように適合されるギター入力アセンブリをさらに具備し、
前記ギター処理回路は前記外部アナログ信号に基いて所定数の外部デジタル信号を発生し、前記所定数のデジタル通信プロトコルと互換する外部デジタル信号にフォーマット化するように適合され、且つ前記ギター出力アセンブリはさらに前記外部デジタル信号を出力するように適合されることを特徴とする請求項２０記載のギター。
【請求項２２】
所定数のアナログ制御信号を処理のための前記ギター処理回路に発生し且つ送信するように適合されたギター制御アセンブリをさらに具備し；
前記ギター処理回路がさらに前記アナログ制御信号に基いて所定数のデジタル制御信号を発生し、前記所定数のデジタル通信プロトコルと互換する前記デジタル制御信号をフォーマット化するように適合され、前記ギター出力アセンブリがさらに前記デジタル制御信号を出力するように適合されることを特徴とする請求項２０記載のギター。
【請求項２３】
ギターをアナログギターからデジタルギターに変換するための改良方法において、
（ａ）前記アナログギター内部にデジタルギター処理回路を挿入し搭載する工程と；
（ｂ）前記デジタルギター処理回路を前記アナログギターのギターピックアップアセンブリに接続する工程と；
（ｃ）前記デジタルギター処理回路をデジタル出力アセンブリに接続する工程と；
（ｄ）前記デジタル出力アセンブリを前記アナログギターに搭載する工程と；
を具備することを特徴とする方法。
【請求項２４】
ギター弦が弾かれるとギター上に搭載されたギター弦の弦振動を示す所定数のデジタル弦信号を受信するように適合されるインターフェース装置入力アセンブリと；
前記インターフェース装置入力アセンブリと通信し、前記デジタル弦信号に基いて所定数のアナログ弦信号を発生するように適合されるインターフェース装置処理回路と；
前記インターフェース装置処理回路と通信し、前記インターフェース装置処理回路により発生した前記アナログ弦信号を出力するように適合されるインターフェース装置出力アセンブリと；
を具備することを特徴とするギターインターフェース装置。
【請求項２５】
前記インターフェース装置処理回路がＭａＧＩＣデジタル通信プロトコルと互換可能であるようにフォーマット化されたデジタル弦信号を受信するように適合されることを特徴とする請求項２４記載のギターインターフェース装置。
【請求項２６】
前記インターフェース装置制御アセンブリが所定数のデジタル制御信号を受信し、処理のための前記インターフェース装置処理回路に送信するように適合され、前記インターフェース装置処理回路が前記ギターインターフェース装置により出力された前記アナログ信号を制御するため前記デジタル制御信号を使用するように適合されることを特徴とする請求項２４記載のギターインターフェース装置。
【請求項２７】
前記インターフェース装置入力アセンブリが１本又はそれ以上の弾かれたギター弦を示す単一デジタル弦信号を受信するように適合され、前記インターフェース装置処理回路が前記単一デジタル弦信号を単一アナログ弦信号に変換するように適合され、前記インターフェース装置出力アセンブリが前記単一アナログ弦信号を出力するように適合されることを特徴とする請求項２４記載のギターインターフェース装置。
【請求項２８】
前記インターフェース装置入力アセンブリが各弾かれたギター弦の個別デジタル弦信号を受信するように適合され、前記インターフェース装置処理回路が前記個別デジタル弦信号を個別アナログ弦信号に変換するように適合され、前記インターフェース装置出力アセンブリが前記個別アナログ弦信号を出力するように適合されることを特徴とする請求項２４記載のギターインターフェース装置。
【請求項２９】
前記インターフェース装置入力アセンブリが各弾かれたギター弦の個別デジタル弦信号を受信するように適合され、前記インターフェース装置処理回路が単一デジタル弦信号を発生するため前記個別デジタル弦信号を合成するように適合され、前記インターフェース装置出力アセンブリが前記信号デジタル弦信号を単一アナログ弦信号に変換するように適合され、前記インターフェース装置出力アセンブリが前記単一アナログ弦信号を出力するように適合されることを特徴とする請求項２４記載のギターインターフェース装置。
【請求項３０】
前記インターフェース装置入力アセンブリが各弾かれたギター弦の個別デジタル弦信号を受信するように適合され、前記インターフェース装置処理回路が２つ又はそれ以上の個別デジタル弦信号を合成し所定数の合成デジタル弦信号を発生しかつ前記合成デジタル弦信号を合成アナログ弦信号に変換するように適合され、前記インターフェース装置出力アセンブリが前記合成アナログ弦信号を出力するように適合されることを特徴とする請求項２４記載のギターインターフェース装置。
【請求項３１】
前記インターフェース装置入力アセンブリが各弾かれたギター弦の２つ又はそれ以上の個別デジタル弦信号を受信するように適合され、前記インターフェース装置処理回路が各ギター弦の個別デジタル弦信号を各ギター弦の個別アナログ弦信号に変換するように適合され、前記インターフェース装置出力アセンブリが各ギター弦の個別アナログ弦信号を出力するように適合されることを特徴とする請求項２４記載のギターインターフェース装置。
【請求項３２】
前記インターフェース装置入力アセンブリが各弾かれたギター弦の２つ又はそれ以上の個別デジタル弦信号をを受信するように適合され、前記インターフェース装置処理回路が各ギター弦の前記個別デジタル弦信号を各ギター弦の単一合成アナログ弦信号に変換するように適合され、前記インターフェース装置出力アセンブリがギター弦の前記単一合成アナログ弦信号を出力するように適合されることを特徴とする請求項２４記載のギターインターフェース装置。
【請求項３３】
２つの磁気ポールピースのみを有し、且つ２つの磁界を発生するように適合される磁気アセンブリと；
磁界内に位置決めされ、且つ前記磁界が磁界内のギター弦振動により変化すると２つの信号が発生するように適合されるコイルアセンブリと；
前記コイルおよび磁気アセンブリに支持を提供するように適合された支持構造体と；
を具備し、前記コイルアセンブリにより発生する前記２つの信号が所定の方法で合成され、前記支持構造体上で規定される上面から且つと平行する所定の距離で第１平面の前記ギター弦の振動を示すｘ平面信号と、上記磁気ポールピースから離間し前記支持構造体の上面と直交する距離で第２平面の前記ギター弦の振動を示すｙ平面信号を発生することを特徴とするオーディオトランスデューサ。
【請求項３４】
前記磁気ポールピースが反転極性を有することを特徴とする請求項３３記載のオーディオトランスデューサ。
【請求項３５】
前記磁気アセンブリが２つの平行磁界を発生するように適合されることを特徴とする請求項３３記載のオーディオトランスデューサ。
【請求項３６】
前記オーディオトランスデューサが前記ギター弦と相対的に位置決めされ、前記２つの磁気ポールピースが前記ギター弦の直下で反対側であることを特徴とする請求項３３記載のオーディオトランスデューサ。
【請求項３７】
前記コイルアセンブリが前記支持構造体上に位置決めされ、前記磁気アセンブリが前記支持構造体内に位置決めされ、前記磁気アセンブリが前記コイルアセンブリを貫通することを特徴とする請求項３３記載のオーディオトランスデューサ。
【請求項３８】
前記支持構造体が支持構造体開口部を含み、前記支持構造体開口部を介して前記磁気アセンブリを前記支持構造体内に挿入することにより前記磁気アセンブリが前記支持構造体内に位置決めされることを特徴とする請求項３７記載のオーディオトランスデューサ。
【請求項３９】
前記支持構造体が２つのボビン状構造体と基部を含み、前記コイルアセンブルが前記ボビン状構造体上に搭載され、磁気アセンブリは前記支持構造体内に位置決めされるので、前記磁気アセンブリは各ボビン状構造体と前記基部内に位置決めされることを特徴とする請求項３３記載のオーディオトランスデューサ。
【請求項４０】
前記支持構造体が前記コイルと前記磁気アセンブリの支持を提供するように適合された２つのボビン状支持構造体サブアセンブリを含み、前記コイルアセンブリは前記ボビン状支持構造体サブアセンブリ上に搭載され、前記磁気アセンブリは各ボビン状支持構造体内に位置決めされるので、前記磁気アセンブリは前記コイルアセンブリを貫通し、前記ボビン状支持構造体は前記磁気アセンブリにより発生した磁力により互いに対して適所に保持されることを特徴とする請求項３３記載のオーディオトランスデューサ。
【請求項４１】
２つの磁界を発生するように適合された磁気アセンブリと；
前記磁界内に位置決めされ且つ前記磁界が前記磁界内のギター弦振動により変動する場合２つの信号を発生するように適合されたコイルアセンブリと；
前記コイルと前記磁気アセンブリの支持を提供するように適合された２つの支持構造体サブアセンブリを有する支持構造体と；
を具備し、
前記支持構造体は前記磁気アセンブリにより発生した磁力により互いに対して適所に維持され、
前記コイルアセンブリにより発生した前記２つの信号は所定の方法で互いに合成し、前記支持構造体から離間し且つ前記支持構造体で規定された上面に平行な所定距離に第１平面の前記ギター弦の信号を示すｘ平面信号と、前記磁気ポールピースから離間し且つ前記支持構造体の上面に直交する距離に第２平面の前記ギター弦の振動を示すｙ平面信号を発生することを特徴とするオーディオトランスデューサ。